(57)【要約】【課題】ビアに換わる新たな多層間接続構造を有する高速伝送用接続シートを提供する。【解決手段】ストリップライン構造の第１高速伝送路基板１は、一定の誘電率を有する第１シート状エラストマ１Ａと、第１シート状エラストマ１Ａの両端に配列される導電性の複数の第１短冊状エラストマ１Ｂと、第１短冊状エラストマ１Ｂの両端間を接続するパターン形成された複数の第１高速伝送路１Ｃと、を構成する。第１表層基板２は、非導電性の第２シート状エラストマ２Ａと、第２シート状エラストマ２Ａの両端に第１短冊状エラストマ１Ｂと同配列される導電性の複数の第２短冊状エラストマ２Ｂと、を構成する。第１高速伝送路基板１に第１表層基板２が積層されて多層基板を構成し、複数の第２短冊状エラストマ２Ｂに外部接続端子が圧接されて複数の第１高速伝送路１Ｃが接続される。【選択図】        図１
2005109120.tif 000002
【特許請求の範囲】
【請求項１】
一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、
非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、を備えており、
前記第１高速伝送路基板に前記第１表層基板が積層されて多層基板を構成しており、前記第１表層基板の両端に形成された複数の第２短冊状エラストマに外部接続端子が圧接されて当該外部接続端子と前記複数の第１高速伝送路とが接続されることを特徴とする高速伝送用接続シート。
【請求項２】
一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、
非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、
非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、
を備えており、
前記第１高速伝送路基板をコア基板として前記第１表層基板と前記第２表層基板とが対向するように積層されて多層基板を構成しており、前記第１表層基板の一方の端部に形成された複数の第２短冊状エラストマに一方の外部接続端子が圧接され、前記第２表層基板の他方の端部に形成された複数の第３短冊状エラストマに他方の外部接続端子が圧接され、これら外部接続端子と前記複数の第１高速伝送路とが接続されることを特徴とする高速伝送用接続シート。
【請求項３】
一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、
非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、
非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、
前記複数のグランド層となる第１エラストマと接触する幅を少なくとも有するグランド板と、を備えており、
前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、当該多層基板が面圧されることにより前記複数の第１高速伝送路間に電磁遮蔽壁が形成されることを特徴とする高速伝送用接続シート。
【請求項４】
前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、
前記グランド板と前記第１高速伝送路基板における複数のグランド層となる第１エラストマ間と、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成されることを特徴とする請求項３記載の高速伝送用接続シート。
【請求項５】
一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、
非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、
非導電性を有する第３シート状エラストマと、当該第３シート状エラストマの他方の端部に前記複数の第１エラストマと合同に配列されており表裏面間に導電性を有する複数の第３短冊状エラストマと、を有する第２表層基板と、
非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、
前記複数のグランド層となる第１エラストマと接触する幅を少なくとも有するグランド板と、を備えており、
前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、当該多層基板が面圧されることにより前記複数の第１高速伝送路間に電磁遮蔽壁が形成されることを特徴とする高速伝送用接続シート。
【請求項６】
前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、
前記グランド板と前記第１高速伝送路基板における複数のグランド層となる第１エラストマ間、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成されることを特徴とする請求項５記載の高速伝送用接続シート。
【請求項７】
一定の誘電率を有する第１シート状エラストマと、当該第１シート状エラストマの両端に等間隔で配列されており表裏面間に導電性を有する複数の第１短冊状エラストマと、当該複数の第１短冊状エラストマの両端間を一つおきに等間隔で接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、
非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、
非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、
非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、
前記複数のグランド層となる第１エラストマと接触する幅を少なくとも有するグランド板と、
一定の誘電率を有する第５シート状エラストマと、当該第１シート状エラストマの両端に前記複数の第１短冊状エラストマと重なる等間隔で配列されており表裏面間に導電性を有する複数の第５短冊状エラストマと、当該複数の第５短冊状エラストマの両端間を前記複数の第１高速伝送路と交互になるように一つおきに等間隔で接続しており前記第５シート状エラストマにパターン形成された複数の第２高速伝送路と、当該第２高速伝送路を挟むように当該第２高速伝送路と平行に配列されており表裏面間に導電性を有する複数のグランド層となる第３エラストマと、を構成するストリップライン構造の第２高速伝送路基板と、
非導電性を有する第６シート状エラストマと、当該第６シート状エラストマの両端に前記複数の第５短冊状エラストマと合同に配列されており表裏面間に導電性を有する複数の第６短冊状エラストマと、前記複数のグランド層となる第３エラストマと合同に配列されており表裏面間に導電性を有する複数のグランド層となる第４エラストマと、を構成する第６層基板と、を備えており、
前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の両端に形成された複数の第２短冊状エラストマに外部接続端子が圧接されて当該外部接続端子と前記複数の第１高速伝送路及び前記複数の第２高速伝送路とが接続されることを特徴とする高速伝送用接続シート。
【請求項８】
前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の一方の端部に形成された複数の第２短冊状エラストマに一方の外部接続端子が圧接され、当該多層基板における前記第２表層基板の他方の端部に形成された複数の第３短冊状エラストマに他方の外部接続端子が圧接され、これら外部接続端子と前記複数の第１高速伝送路及び前記複数の第２高速伝送路とが接続されることを特徴とする請求項７記載の高速伝送用接続シート。
【請求項９】
前記グランド板と前記第２高速伝送路基板における複数のグランド層となる第３エラストマ間、前記複数のグランド層となる第５エラストマと前記第６層基板における複数のグランド層となる第４エラストマ間と、前記複数のグランド層となる第４エラストマと前記グランド板間と、がそれぞれ導電性接着剤で接合されることにより前記複数の第２高速伝送路間に電磁遮蔽壁が形成されることを特徴とする請求項７記載の高速伝送用接続シート。
【請求項１０】
一定の誘電率を有する第７シート状エラストマと、当該第７シート状エラストマの両端に配列されており表裏面間に導電性を有する複数の第７短冊状エラストマと、当該複数の第７短冊状エラストマの両端間を任意に接続しており前記第７シート状エラストマにパターン形成された複数の第３高速伝送路と、当該第３高速伝送路を挟むように当該第３高速伝送路と平行に配列されており表裏面間に導電性を有する複数のグランド層となる第５エラストマと、を構成するストリップライン構造の第３高速伝送路基板と、
一定の誘電率を有する第８シート状エラストマと、当該第８シート状エラストマの両端に配列されており表裏面間に導電性を有する複数の第８短冊状エラストマと、当該複数の第８短冊状エラストマの両端間を任意に接続しており前記第８シート状エラストマにパターン形成された複数の第４高速伝送路と、当該第４高速伝送路を挟むように当該第４高速伝送路と平行に配列されており表裏面間に導電性を有する複数のグランド層となる第６エラストマと、を構成するストリップライン構造の第４高速伝送路基板と、
非導電性を有する第９シート状エラストマと、当該第９シート状エラストマの両端に前記複数の第７短冊状エラストマと合同に配列されており表裏面間に導電性を有する複数の第９短冊状エラストマと、を構成するトップシートと、
非導電性を有する第１０シート状エラストマと、当該第１０シート状エラストマの両端に前記複数の第７短冊状エラストマと合同に配列されており表裏面間に導電性を有する複数の第１０短冊状エラストマと、前記複数のグランド層となる第５エラストマと合同に配列されており表裏面間に導電性を有する複数のグランド層となる第７エラストマと、を構成する第１中間層基板と、
非導電性を有する第１１シート状エラストマ１と、当該第１１シート状エラストマの両端に前記複数の第８短冊状エラストマと合同に配列されており表裏面間に導電性を有する複数の第１１短冊状エラストマと、前記複数のグランド層となる第６エラストマと合同に配列されており表裏面間に導電性を有する複数のグランド層となる第８エラストマと、を構成する第２中間層基板と、
非導電性を有する第１２シート状エラストマと、当該第１２シート状エラストマの両端に前記複数の第８短冊状エラストマと合同に配列されており表裏面間に導電性を有する複数の第１２短冊状エラストマと、を構成する第３中間層基板と、
前記複数のグランド層となる第５エラストマ及び前記複数のグランド層となる第６エラストマと接触する幅を少なくとも有するグランド板と、
非導電性を有する第１３シート状エラストマで構成されるボトムシートと、を備えており、
前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記複数の第３高速伝送路と前記複数の第４高速伝送路とは立体交差されていることを特徴とする高速伝送用接続シート。
【請求項１１】
前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記トップシートの両端に形成された複数の第９短冊状エラストマに外部接続端子が圧接されて当該外部接続端子と前記複数の第３高速伝送路及び前記複数の第４高速伝送路とが接続されることを特徴とする請求項１０記載の高速伝送用接続シート。
【請求項１２】
前記高速伝送路は対をなす差動信号路を含むことを特徴とする請求項１から１１のいずれかに記載の高速伝送用接続シート。
【発明の詳細な説明】
【技術分野】
【０００１】
本発明は、各種ＡＶ機器や家電機器・通信機器・コンピュータやその周辺機器等の電子機器に使用される多層の接続シートに関するものであり、特に差動信号線等の高速伝送路が形成される接続シートに関する。
【背景技術】
【０００２】
電子部品又は電子機器間を電気的に接続するプリント配線板は、伝送信号の高速化が進むにつれて交流的な電気特性である特性インピーダンスの整合、高速伝送・高周波特性の向上、不要輻射の低減などの機能が要求されてきている。したがって、プリント配線板はストリップライン、マイクロストリップラインの構成をとることとなり、パラレル信号線の増大と相まって多層化が必要とされてきている。
【０００３】
ストリップラインを構成する高速伝送用の多層プリント配線板においては、クロストークの問題や、スルーホールビア（Ｖｉａ）といった伝送線路上の微小負荷による信号の減衰や反射の問題に対してこれまで様々な対策が発案されている。
【０００４】
例えば、信号層とＧＮＤ層の多層構造からなる高速信号用回路基板において、２つの異なる層の信号ライン間をビアで層間連結する信号層にビアランドの回りにこれを取り囲むようなグランドパターンを設けることにより、ビアランド周辺近傍における信号の反射を低減し、特に高速信号の伝送特性を向上する考案がある（例えば、特許文献１参照）。
【０００５】
また、信号配線と電源／グランド系導体との幾何学的形状を含め、高速信号伝送に適した多層配線構造のプリント配線板として、それぞれ所定の電位が与えられる複数の平行ストリップ状導体からなる電位供給系層と、前記電位供給系層に絶縁物層を隔てて積層され、前記平行ストリップ状導体と平行な配線で構成される信号配線層とを備える多層プリント配線板の発明が開示されている（例えば、特許文献２参照）。
【０００６】
前述の特許文献２においては、平行ストリップ状導体のパターンの導体幅を信号配線の２倍以下、パターン・ピッチを信号配線幅の３．０倍以下にすれば、伝搬遅延を最小に、かつ波形歪みの少ない最適パターンが得られるとしている。
【０００７】
更に、信号線間のクロストークや信号干渉を軽減するプリント基板として、複数の定インピーダンスの線路が配設されたプリント基板において、隣接する各線路間に設けたグランドパターン領域と、前記グランドパターン領域であって、前記グランドパターン領域及び他のグランドパターン領域に導電するように設けられたビア（Ｖｉａ）ホールとを備えており、隣接する各線路をシールドするようにした多層プリント配線板の発明が開示されている（例えば、特許文献３参照）。
【０００８】
前述の特許文献３に類似したものとして、高周波配線が容易で、伝送線路間の不要電磁的結合を低減した高周波回路用配線板としては、２層の接地用導体層の間に信号層を複数層含むストリップライン構造伝送線路の高周波回路用多層配線板において、前記信号層に信号線と接地線を交互に配線し、隣接する信号層に関しては信号線と接地線は対向して配線されており、前記接地線が対向する信号線の幅より広い高周波回路用多層配線板の発明が開示されている（例えば、特許文献４参照）。
【０００９】
前述の特許文献４においては、信号線間のクロストークや外部からの電磁波ノイズの影響を抑制しつつ、高密度配線を実現できる。また、外部にマイクロストリップライン構造部を設けることによって、クロストークの少ない信号などを流すためなどの信号線を設けることもできる。更に、内部に接地線を含まないストリップライン構造部の形態をとることもでき、この内部のストリップライン構造部の信号線にはクロストークの少ない信号などを流すことができる。
【００１０】
一方、フレキシブル基板としては、液晶ポリマーから成り、かつ２つ折りして一体化された絶縁体層と、前記絶縁体層の折り曲げ（例えば２つ折り）対向面に互いに絶縁離隔して一体的に配列された信号配線及びグランド配線と、前記絶縁体層の外側面に一体的に配置され、前記信号配線及びグランド配線の配列領域を覆うシールド層と、前記絶縁体層を貫挿して前記グランド配線及びシールド層を電気的に接続する導電体部とを有するフラット型シールドケーブルの発明が開示されている（例えば、特許文献５参照）。
【００１１】
前述の特許文献５においては、信号配線に対するグランド配線及びシールド層の電気的な接続、更には一体的なシールド層の折り曲げで所要のシールが行われる。すなわち、絶縁体層を成す液晶ポリマーが、低誘電率で高周波特性も良好であること、ほとんど吸湿性がなく安定した機能を呈すること、高度の加工精度などを要求されることも無いなどの特徴が相まって、低コストで信頼性の高いフレキシブルなフラット型シールドケーブルが提供され、高周波信号回路などの高性能化を図ることが可能となる。
【００１２】
更に、フレキシブルな多層配線基板として、有機材料から成り、上下面の少なくとも一方に金属箔から成る配線導体が配設された複数の絶縁層を積層して成ると共に、該絶縁層を挟んで上下に位置する前記配線導体間を前記絶縁層に形成された貫通導体を介して電気的に接続した多層配線基板であって、前記絶縁層は液晶ポリマー層の上下面にポリフェニレンエーテル系有機物から成る被覆層を形成して成り、前記液晶ポリマー層はこの平面と平行な方向のうちの一方向で誘電率が最大となる異方誘電性を有すると共に前記液晶ポリマー層の平面と平行な方向のうちで誘電率が最大となる方向の誘電率εＸと、前記液晶ポリマー層の平面と平行な方向のうちで誘電率が最大となる方向と直行する方向の誘電率εＹとの比εＸ／εＹで表した異方誘電性度が１．２〜２．０である多層配線基板の発明が開示されている（例えば、特許文献６参照）。
【００１３】
前述の特許文献６においては、絶縁層を液晶ポリマー層の表面にポリフェニレンエーテル系有機物から成る被覆層を形成して成るものとしたことから、微細な貫通孔を穿設加工することが可能となり、その結果、高密度な配線を有する多層配線基板とすることができ、また、液晶ポリマー層とポリフェニレンエーテル系有機物から成る被覆層の誘電率が高周波領域において低いことから、高周波領域における伝送特性に優れた多層配線基板とすることできる。
【００１４】
【特許文献１】実開平５−９３０８０号公報
【特許文献２】特開平８−４６０７８号公報
【特許文献３】特開平８−２４２０７８号公報
【特許文献４】特開２００３−６９２３９号公報
【特許文献５】特開２００１−１３５９７４号公報
【特許文献６】特開２００２−２９００５５号公報
【発明の開示】
【発明が解決しようとする課題】
【００１５】
しかしながら、特許文献１においては、ビアランド周辺近傍における平面上の信号反射を低減する効果は期待できるものの、例えば、貫通ビアなどでは垂直方向に信号の反射がおきるという問題がある。更には、この貫通ビアが垂直方向には、等価がとれないといった問題もある。
【００１６】
特許文献２は、電源／グランド系導体が平行ストリップ状導体からなる特異なストリップ構造を有する多層プリント配線板であり、絶縁層と電源／グランド系層のプロセス技術がクリアできれば、電源／グランド系層は開口部や不連続部分のない信号配線方向に連続な平面パターンがよいことは明らかである。
【００１７】
特許文献３に依れば、隣接する各線路に沿ってグランドパターン領域及び他のグランドパターン領域に導電するように設けられたバイヤホールを備え、隣接する各線路をシールドするようにしたので、隣接する各線路に対して３次元的なシールドを施すことができ、これにより、各線路間のクロストークや信号干渉を軽減できるとしているが、バイヤホールは間隔を設けた円柱状に遮蔽しており、完全なシールド壁を施している訳ではない。
【００１８】
特許文献４は、信号層に信号線と接地線を交互に配線することにより、クロストークの防止を可能としている。特に、接地線の幅を広くしたことにより、よりストリップライン構造に近づけ、層間のクロストークの影響を減らすことを目論んでいる。特許文献４においては、信号層に信号線と接地線を交互に配線することにより、クロストークの影響を軽減しようとしている。
【００１９】
しかしながら、より高速の信号では、特許文献３及び特許文献４に示されたように、平面上に接地線を配置するだけでは、クロストークの影響を軽減できない。そして、クロストークの影響を軽減するために信号間の距離を大きくすれば、実装密度が下がるという非効率な構造となる。実装密度を維持しつつ、クロストークの影響をより軽減できる高速伝送用多層基板の新たな構造が求められる。
【００２０】
特許文献５及び特許文献６においても、貫通ビアの形成などによる垂直方向に信号の反射の問題や、クロストーク対策のためにより確実なシールド構造が求められているという問題がある。
【００２１】
図１２は、多層プリント基板４０に外部接続端子３１が接続している状態を示す斜視図である。図１２の従来技術に示されるように、ばね性を有する複数の外部接続端子３１は、多層プリント基板４０の表層に形成されたエッジコネクタとなるライン端子４１を押圧している。
【００２２】
図１２では、ライン端子４１と外部接続端子３１が相対的に摺動するため、外部接続端子３１における屈曲した接触部回りに空間が必要となる。そして、この空間に存在する空気（大気）は、キャパシタンスとしてみると一番効率のよい成分となる。図１２に示された従来の外部接続構造では、接触部は点接又は線接となるので、空気の存在は無視できない。ライン端子４１に密着するようにして面接する外部接続構造が求められる。
【００２３】
更に、図１２では、外部接続端子３１における前記接触部以降の先端部には、図中実線矢印で進行する電気信号が点線矢印で反射される「はね帰り部」が存在し、このはね帰り部は、電気回路上はオープン回路となり、信号エネルギーの消費が無くなる。このような１００％近くの反射が発生することも排除されなくてはならない。
【００２４】
又、外部接続端子３１は例えばビア４２と接続されており、このビア４２はスルーホールビア４３となって、多層プリント基板４０の内層又は外層に信号を接続している。そして、このスルーホールビア４３も電気回路上はオープン回路となり、電気信号の跳ね返りが生じている。
【００２５】
これらビア、貫通ビアは一般的に製造コストも高く、例えば、特許文献３に示されたように、多数のビアを形成すると一枚の多層プリント基板の製造コストがアップする。多層プリント基板においてビアに換わる多層間接続構造が求められている。特に、１Ｇビット／秒以上のデータ伝送速度を要求される高周波数の信号領域では、高速伝送線路に誘電損失や反射などによる信号の劣化を防止することが求められる。
【００２６】
本発明は、上述した課題を解決すべく、高速信号の反射を減少させる外部接続用構造を有する高速伝送用接続シートを提供することを第１の目的とする。又、高速信号間のクロストークを防止するために、より確実なシールド構造を有する高速伝送用接続シートを提供することを第２の目的とする。更には、多層プリント基板において、ビアに換わる新たな多層間接続構造を有する高速伝送用接続シートを提供することを第３の目的とする。
【課題を解決するための手段】
【００２７】
発明者は、上記目的を満たすため、以下のような高速伝送用接続シートを発明した。
【００２８】
（１）  一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、を備えており、前記第１高速伝送路基板に前記第１表層基板が積層されて多層基板を構成しており、前記第１表層基板の両端に形成された複数の第２短冊状エラストマに外部接続端子が圧接されて当該外部接続端子と前記複数の第１高速伝送路とが接続されることを特徴とする高速伝送用接続シート。
【００２９】
（２）  一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、を備えており、前記第１高速伝送路基板をコア基板として前記第１表層基板と前記第２表層基板とが対向するように積層されて多層基板を構成しており、前記第１表層基板の一方の端部に形成された複数の第２短冊状エラストマに一方の外部接続端子が圧接され、前記第２表層基板の他方の端部に形成された複数の第３短冊状エラストマに他方の外部接続端子が圧接され、これら外部接続端子と前記複数の第１高速伝送路とが接続されることを特徴とする高速伝送用接続シート。
【００３０】
（３）  一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、を備えており、前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、当該多層基板が面圧されることにより前記複数の第１高速伝送路間に電磁遮蔽壁が形成されることを特徴とする高速伝送用接続シート。
【００３１】
（４）  前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、前記グランド板と前記第１高速伝送路基板における複数のグランド層となる第１エラストマ間と、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成されることを特徴とする（３）記載の高速伝送用接続シート。
【００３２】
（５）  一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１エラストマと合同に配列されており表裏面間に導電性を有する複数の第３短冊状エラストマと、を有する第２表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、を備えており、前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、当該多層基板が面圧されることにより前記複数の第１高速伝送路間に電磁遮蔽壁が形成されることを特徴とする高速伝送用接続シート。
【００３３】
（６）  前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、前記グランド板と前記第１高速伝送路基板における複数のグランド層となる第１エラストマ間、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成されることを特徴とする（５）記載の高速伝送用接続シート。
【００３４】
（７）  一定の誘電率を有する第１シート状エラストマと、当該第１シート状エラストマの両端に等間隔で配列されており表裏面間に導電性を有する複数の第１短冊状エラストマと、当該複数の第１短冊状エラストマの両端間を一つおきに等間隔で接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、一定の誘電率を有する第５シート状エラストマと、当該第１シート状エラストマの両端に前記複数の第１短冊状エラストマと重なる等間隔で配列されており表裏面間に導電性を有する複数の第５短冊状エラストマと、当該複数の第５短冊状エラストマの両端間を前記複数の第１高速伝送路と交互になるように一つおきに等間隔で接続しており前記第５シート状エラストマにパターン形成された複数の第２高速伝送路と、当該第２高速伝送路を挟むように当該第２高速伝送路と平行に配列されており表裏面間に導電性を有する複数のグランド層となる第３エラストマと、を構成するストリップライン構造の第２高速伝送路基板と、非導電性を有する第６シート状エラストマと、当該第６シート状エラストマの両端に前記複数の第５短冊状エラストマと合同に配列されており表裏面間に導電性を有する複数の第６短冊状エラストマと、前記複数のグランド層となる第３エラストマと合同に配列されており表裏面間に導電性を有する複数のグランド層となる第４エラストマと、を構成する第６層基板と、を備えており、前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の両端に形成された複数の第２短冊状エラストマに外部接続端子が圧接されて当該外部接続端子と前記複数の第１高速伝送路及び前記複数の第２高速伝送路とが接続されることを特徴とする高速伝送用接続シート。
【００３５】
（８）  前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の一方の端部に形成された複数の第２短冊状エラストマに一方の外部接続端子が圧接され、当該多層基板における前記第２表層基板の他方の端部に形成された複数の第３短冊状エラストマに他方の外部接続端子が圧接され、これら外部接続端子と前記複数の第１高速伝送路及び前記複数の第２高速伝送路とが接続されることを特徴とする（７）記載の高速伝送用接続シート。
【００３６】
（９）  前記グランド板と前記第２高速伝送路基板における複数のグランド層となる第３エラストマ間、前記複数のグランド層となる第５エラストマと前記第６層基板における複数のグランド層となる第４エラストマ間と、前記複数のグランド層となる第４エラストマと前記グランド板間と、がそれぞれ導電性接着剤で接合されることにより前記複数の第２高速伝送路間に電磁遮蔽壁が形成されることを特徴とする（７）記載の高速伝送用接続シート。
【００３７】
（１０）  一定の誘電率を有する第７シート状エラストマと、当該第７シート状エラストマの両端に配列されており表裏面間に導電性を有する複数の第７短冊状エラストマと、当該複数の第７短冊状エラストマの両端間を任意に接続しており前記第７シート状エラストマにパターン形成された複数の第３高速伝送路と、当該第３高速伝送路を挟むように当該第３高速伝送路と平行に配列されており表裏面間に導電性を有する複数のグランド層となる第５エラストマと、を構成するストリップライン構造の第３高速伝送路基板と、一定の誘電率を有する第８シート状エラストマと、当該第８シート状エラストマの両端に配列されており表裏面間に導電性を有する複数の第８短冊状エラストマと、当該複数の第８短冊状エラストマの両端間を任意に接続しており前記第８シート状エラストマにパターン形成された複数の第４高速伝送路と、当該第４高速伝送路を挟むように当該第４高速伝送路と平行に配列されており表裏面間に導電性を有する複数のグランド層となる第６エラストマと、を構成するストリップライン構造の第４高速伝送路基板と、非導電性を有する第９シート状エラストマと、当該第９シート状エラストマの両端に前記複数の第７短冊状エラストマと合同に配列されており表裏面間に導電性を有する複数の第９短冊状エラストマと、を構成するトップシートと、非導電性を有する第１０シート状エラストマと、当該第１０シート状エラストマの両端に前記複数の第７短冊状エラストマと合同に配列されており表裏面間に導電性を有する複数の第１０短冊状エラストマと、前記複数のグランド層となる第５エラストマと合同に配列されており表裏面間に導電性を有する複数のグランド層となる第７エラストマと、を構成する第１中間層基板と、非導電性を有する第１１シート状エラストマ１と、当該第１１シート状エラストマの両端に前記複数の第８短冊状エラストマと合同に配列されており表裏面間に導電性を有する複数の第１１短冊状エラストマと、前記複数のグランド層となる第６エラストマと合同に配列されており表裏面間に導電性を有する複数のグランド層となる第８エラストマと、を構成する第２中間層基板と、非導電性を有する第１２シート状エラストマと、当該第１２シート状エラストマの両端に前記複数の第８短冊状エラストマと合同に配列されており表裏面間に導電性を有する複数の第１２短冊状エラストマと、を構成する第３中間層基板と、前記複数のグランド層となる第５エラストマ及び前記複数のグランド層となる第６エラストマと接触する幅を少なくとも有するグランド板と、非導電性を有する第１３シート状エラストマで構成されるボトムシートと、を備えており、前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記複数の第３高速伝送路と前記複数の第４高速伝送路とは立体交差されていることを特徴とする高速伝送用接続シート。
【００３８】
（１１）  前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記トップシートの両端に形成された複数の第９短冊状エラストマに外部接続端子が圧接されて当該外部接続端子と前記複数の第３高速伝送路及び前記複数の第４高速伝送路とが接続されることを特徴とする（１０）記載の高速伝送用接続シート。
【００３９】
（１２）  前記高速伝送路は対をなす差動信号路を含むことを特徴とする（１）から（１１）のいずれかに記載の高速伝送用接続シート。
【００４０】
（１）記載の発明によれば、「一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、を備えており、前記第１高速伝送路基板に前記第１表層基板が積層されて多層基板を構成しており、前記第１表層基板の両端に形成された複数の第２短冊状エラストマに外部接続端子が圧接されて当該外部接続端子と前記複数の第１高速伝送路とが接続される」ことを特徴としてよい。
【００４１】
「シート状エラストマ」は、所定の厚みを有すると共にこの厚みの表及び裏に所定の表面及び裏面を有する可撓性のシートであってよい。「所定の厚みを有すると共にこの厚みの表及び裏に所定の表面及び裏面を有する」とは、通常のシートが持つ特徴であってよい。このシート状エラストマは、ある厚みを有し、厚みよりも大きな寸法で規定される表面及び裏面を厚みの前後若しくは上下に有していてよい。「可撓性」とは、シートが撓み得ることを意味してよい。
【００４２】
「短冊状エラストマ」は、シートの厚み方向に可撓性を有しており、形状が細長い部材を意味してよい。細長いとは縦と横の比が１を超えることを意味してよく、より好ましくは、１０を超えることであってよい。
【００４３】
「一定の誘電率を有するシート状エラストマ」はストリップライン構造を形成するための誘電体であって、エラストマに一定の比誘電率を有する物質が含有されてよく、例えば、硬質プリント基板におけるテフロン（登録商標）基板と同等の誘電率を有してよい。
【００４４】
第１高速伝送路基板は、一定の誘電率を有する第１シート状エラストマの両端に外部接続端子のピッチに対応して表裏面間に導電性を有する複数の第１短冊状エラストマが配列されてよい。又、一定の誘電率を有する第１シート状エラストマの両端に第１高速伝送路のピッチに対応して複数の第１短冊状エラストマが配列されてもよい。したがって、第１シート状エラストマの両端部においては、第１シート状エラストマと第１短冊状エラストマが交互に配列されて異方導電シートを形成する。
【００４５】
この一定の誘電率を有する第１シート状エラストマに導電性を有する第１短冊状エラストマを並べて異方導電シートをつくるにあたり、相互に化学的に結合させてよい。このような結合を生じさせるためにカップリング剤をその間に施してもよい。このようなカップリング材は、これらの部材を結合させる結合剤で、通常の市販の接着剤を含んでよい。具体的には、シラン系、アルミニウム系、チタネート系等のカップリング剤であってよく、シランカップリング剤が良好に用いられる。
【００４６】
好適な実施態様においては、矩形の第１シート状エラストマにおいて相反する両端部に導電性を有する複数の第１短冊状エラストマが配列されてよい。又、他の好適な実施態様においては、矩形の第１シート状エラストマにおいて隣接する両端部に導電性を有する第１短冊状エラストマが配列されてもよい。更に、円形の第１シート状エラストマにおいて対向する周縁部に導電性を有する第１短冊状エラストマが放射状に配列されてもよく、隣接する周縁部に導電性を有する第１短冊状エラストマが放射状に配列されてもよい。
【００４７】
第１高速伝送路基板は、両端に複数の第１短冊状エラストマが配列されている第１シート状エラストマの片面に銅箔が積層・配置された後に、プリントエッチング法により高速伝送路がパターン形成されてよい。そして、この第１高速伝送路基板は高速伝送路に対向してグランド層となる銅箔板を積層したストリップライン構造を有している。
【００４８】
第１高速伝送路基板は両端にエッジコネクタとなる複数の第１短冊状エラストマを有しており、この複数の第１短冊状エラストマ間が例えば、対をなす差動信号路でパターン接続されており、高速伝送路基板全体としてはシートの厚み方向に可撓性を有してよい。
【００４９】
「非導電性を有するシート状エラストマ」はシート状エラストマが非導電性を有すると考えてよく、非導電性とは、導電率が十分低いことであってよく、また、電気抵抗が十分高いことであってよい。また、非導電性を有するシート状エラストマ全体としては、非導電方向において十分な非導電性を持たせることができるような非導電性を有することを意味している。
【００５０】
「非導電性を有するシート状エラストマ」とは、通常のエラストマが該当する。具体的には、天然ゴム、ポリイソプレンゴム、ブタジエン−スチレン、ブタジエン−アクリロニトル、ブタジエン−イソブチレン等のブタジエン共重合体や共役ジエン系ゴム及びこれらの水素添加物、スチレン−ブタジエン−ジエンブロック共重合体ゴム、スチレン−イソプレンブロック共重合体などのブロック共重合体ゴム及びこれらの水素添加物、クロロプレン重合体、塩化ビニル−酢酸ビニル共重合体、ウレタンゴム、ポリエステル系ゴム、エピクロルヒドリンゴム、エチレン−プロピレン共重合体ゴム、エチレン−プロピレン−ジエン共重合体ゴム、軟質液状エポキシゴム、シリコーンゴム、又はフッ素ゴムなどが使用される。
【００５１】
これらの中でも、耐熱性、耐寒性、耐薬品性、耐候性、電気絶縁性、及び安全性に優れるシリコーンゴムが好適に用いられる。このような非導電性を有するシート状エラストマは、通常は体積抵抗が高い（例えば、１００Ｖで、１ＭΩ・ｃｍ以上）ため、非導電性である。
【００５２】
「導電性を有する短冊状エラストマ」はシート状エラストマが導電性を有すると考えてよく、導電率が十分高いことであってよい。また、電気抵抗が十分低いことであってよい。また、短冊状エラストマ全体としては、かかる構成を有するエラストマの導電方向において十分な導電性を持たせることができるような導電性を有することを意味している。
【００５３】
導電性を有するエラストマは、通常、体積固有抵抗を低く（例えば、１Ω・ｃｍ以下）するように、導電性を有する材料を混ぜたエラストマであってよい。このエラストマは、具体的には前述の通常のエラストマが該当する。
【００５４】
これら通常のエラストマの中でも、耐熱性、耐寒性、耐薬品性、耐候性、電気絶縁性、及び安全性に優れるシリコーンゴムが好適に用いられる。このようなエラストマに、金、銀、銅、ニッケル、タングステン、白金、パラジウム、その他の純金属、ＳＵＳ、りん青銅、ベリリウム銅等の金属の粉末（フレーク、小片、箔等も可）やカーボン等の非金属の粉末（フレーク、小片、箔等も可）等の導電性を有する物質を混合することにより、導電性エラストマが構成される。尚、カーボンにはカーボンナノチューブやフラーレン等を含んでいてよい。
【００５５】
この非導電性を有するシート状エラストマに導電性を有する短冊状エラストマを並べて異方導電シートをつくるにあたり、相互に化学的に結合させてよい。このような結合を生じさせるためにカップリング剤をその間に施してもよい。このようなカップリング材は、これらの部材を結合させる結合剤で、通常の市販の接着剤を含んでよい。具体的には、シラン系、アルミニウム系、チタネート系等のカップリング剤であってよく、シランカップリング剤が良好に用いられる。
【００５６】
そして、複数の第１短冊状エラストマと複数の第２短冊状エラストマが一対一に接触導通するように、第１高速伝送路基板に第１表層基板が積層・接着されて多層基板を構成しており、第１表層基板の両端に形成された複数の第２短冊状エラストマに外部接続端子が圧接されて外部接続端子と複数の第１高速伝送路とが接続される。
【００５７】
このような外部接続構造を有する高速伝送用接続シートにおいては、エッジコネクタとなる導電性を有する複数の短冊状エラストマに外部接続端子が密着するように面接されるので、外部接続端子とエッジコネクタ間に空気層が無くなり、外部接続端子の接続端での高速信号の反射が起こりにくくなる。
【００５８】
このような層間接続構造を有する高速伝送用接続シートにおいては、ビアを設けることなく押圧するのみで表層パターンと高速伝送路を接続できる。更に、高速伝送路基板の下面に絶縁シートを積層すれば、従来のように板厚方向に貫通ビアを設けることがないので、板厚方向に信号の反射が起こりにくいという利点がある。
【００５９】
（２）記載の発明によれば、「一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、を構成するストリップライン構造の第１高速伝送路基板と、非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、を備えており、前記第１高速伝送路基板をコア基板として前記第１表層基板と前記第２表層基板とが対向するように積層されて多層基板を構成しており、前記第１表層基板の一方の端部に形成された複数の第２短冊状エラストマに一方の外部接続端子が圧接され、前記第２表層基板の他方の端部に形成された複数の第３短冊状エラストマに他方の外部接続端子が圧接され、これら外部接続端子と前記複数の第１高速伝送路とが接続される」ことを特徴としてよい。
【００６０】
この第１表層基板は、非導電性を有する第２シート状エラストマの一方の端部に導電性を有する複数の第２短冊状エラストマが配列されて異方導電シートを形成する。言い換えれば、非導電性を有する第２シート状エラストマで形成される第１表層基板は、一方の端部に第２シート状エラストマと第２短冊状エラストマが交互に配列されて異方導電シートを形成する。そして、一方の端部に形成されるこの異方導電シートは、一方の外部接続端子が電気的に接続されるエッジコネクタとして機能する。
【００６１】
一方、第２表層基板は、非導電性を有する第３シート状エラストマの他方の端部に導電性を有する複数の第３短冊状エラストマが配列されて異方導電シートを形成する。言い換えれば、非導電性を有する第３シート状エラストマで形成される第２表層基板は、他方の端部に第３シート状エラストマと第２短冊状エラストマが交互に配列されて異方導電シートを形成する。そして、他方の端部に形成されるこの異方導電シートは、他方の外部接続端子が電気的に接続されるエッジコネクタとして機能する。
【００６２】
好適な実施態様においては、矩形の第２シート状エラストマにおいて相反する両端部の内の一方の端部に導電性を有する複数の第２短冊状エラストマが配列されてよく、矩形の第３シート状エラストマにおいて相反する両端部の内の一方の端部と対向する他方の端部に導電性を有する複数の第３短冊状エラストマが配列されてよい。又、他の好適な実施態様においては、矩形の第２シート状エラストマにおいて隣接する一方の端部に導電性を有する第２短冊状エラストマが配列されてよく、矩形の第３シート状エラストマにおいて隣接する他方の端部に導電性を有する第３短冊状エラストマが配列されてよい。
【００６３】
第２表層基板、第１高速伝送路基板、第１表層基板の順番に積層される多層基板となる高速伝送用接続シートにおいて、第１表層基板の一方に端部に一方の外部接続端子を圧接し、第２表層基板の他方に端部に他方の外部接続端子を圧接すれば、一方の外部接続端子、第２短冊状エラストマ、第１短冊状エラストマ、第１高速伝送路、第１短冊状エラストマ、第３短冊状エラストマ、他方の外部接続端子の経路を経由してこれら外部接続端子と前記複数の第１高速伝送路とが接続される。
【００６４】
このような外部接続構造を有する高速伝送用接続シートにおいては、エッジコネクタとなる導電性を有する複数の短冊状エラストマに外部接続端子が密着するように面接されるので、外部接続端子とエッジコネクタ間に空気層が無くなり、外部接続端子の接続端での高速信号の反射が起こりにくくなる。
【００６５】
このような層間接続構造を有する高速伝送用接続シートにおいては、ビアを設けることなく、表面層に配置された一方の外部接続端子と裏面層に配置された他方の外部接続端子とを、導電性エラストマと非導電性エラストマが交互に配列された異方導電シートに押圧するのみで、高速伝送路を立体接続できる。
【００６６】
（３）記載の発明によれば、「一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、を備えており、前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、当該多層基板が面圧されることにより前記複数の第１高速伝送路間に電磁遮蔽壁が形成される」ことを特徴としてよい。
【００６７】
第４層基板は、非導電性を有する第４シート状エラストマの両端部に導電性を有する複数の第４短冊状エラストマが配列されて異方導電シートを形成する。言い換えれば、非導電性を有する第４シート状エラストマで形成される第４表層基板は、両端部に第４シート状エラストマと第４短冊状エラストマが交互に配列されて異方導電シートを形成する。そして、この第４層基板の両端部に形成される異方導電シートは、第１高速伝送路基板における第１短冊状エラストマと第１表層基板における第２短冊状エラストマとを電気的に接続するエッジコネクタとして機能する。
【００６８】
更に、第１高速伝送路基板においては、一定の誘電率を有する第１シート状エラストマと、導電性を有するグランド層となる第１エラストマとが交互に配列されて、異方導電シートを形成する。この第１シート状エラストマとこの第１エラストマとは、長さ方向（第１短冊状エラストマの両端間を結ぶ方向）において、切れ目無く交互に配列されている。
【００６９】
一方、第４層基板においては、非導電性を有する第４シート状エラストマと、導電性を有するグランド層となる第２エラストマとが交互に配列されて、異方導電シートを形成する。この第４シート状エラストマとこの第２エラストマとは、長さ方向（第４短冊状エラストマの両端間を結ぶ方向）において、切れ目無く交互に配列されている。
【００７０】
そして、この多層基板となる高速伝送用接続シートが面圧されることにより、第１エラストマと第２エラストマは、第１高速伝送路間を隔絶する電磁遮蔽壁を形成する。更に、第１エラストマと第２エラストマは、それぞれグランド板に接触導通しており、個々の高速伝送路は四角柱のパイプで囲まれたかのように３次元で電磁遮蔽されている。
【００７１】
このような高速伝送用接続シートにおいては、導電性を有するエラストマとグランド板で高速伝送路を囲むように３次元で電磁遮蔽しているので、高速伝送路間のクロストークをより確かに防止できる。
【００７２】
（４）記載の発明によれば、「（３）記載の高速伝送用接続シートにおいて、前記グランド板、前記第１高速伝送路基板、前記第４層基板、前記グランド板の順番に積層されてオフセットストリップライン構造が構成され、当該オフセットストリップライン構造に前記第１表層基板が更に積層されて多層基板を構成しており、前記グランド板と前記第１高速伝送路基板における複数のグランド層となる第１エラストマ間と、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成される」ことを特徴としてよい。
【００７３】
導電性を有するエラストマとグランド板で高速伝送路を囲むように３次元で電磁遮蔽している高速伝送用接続シートにおいては、グランド層となる多層間のエラストマ、及びこのエラストマとグランド板をそれぞれ導電性接着剤で、予め接合しておいてもよい。
【００７４】
（５）記載の発明によれば、「一定の誘電率を有する第１シート状エラストマと、当該第１シート状エラストマの両端に配列されており表裏面間に導電性を有する複数の第１短冊状エラストマと、当該複数の第１短冊状エラストマの両端間を接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの一方の端部に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１エラストマと合同に配列されており表裏面間に導電性を有する複数の第３短冊状エラストマと、を有する第２表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、を備えており、前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、当該多層基板が面圧されることにより前記複数の第１高速伝送路間に電磁遮蔽壁が形成される」ことを特徴としてよい。
【００７５】
この第１表層基板は、非導電性を有する第２シート状エラストマの一方の端部に導電性を有する複数の第２短冊状エラストマが配列されて異方導電シートを形成する。言い換えれば、非導電性を有する第２シート状エラストマで形成される第１表層基板は、一方の端部に第２シート状エラストマと第２短冊状エラストマが交互に配列されて異方導電シートを形成する。そして、一方の端部に形成されるこの異方導電シートは、一方の外部接続端子が電気的に接続されるエッジコネクタとして機能する。
【００７６】
一方、第２表層基板は、非導電性を有する第３シート状エラストマの他方の端部に導電性を有する複数の第３短冊状エラストマが配列されて異方導電シートを形成する。言い換えれば、非導電性を有する第３シート状エラストマで形成される第２表層基板は、他方の端部に第３シート状エラストマと第２短冊状エラストマが交互に配列されて異方導電シートを形成する。そして、他方の端部に形成されるこの異方導電シートは、他方の外部接続端子が電気的に接続されるエッジコネクタとして機能する。
【００７７】
更に、第１高速伝送路基板においては、一定の誘電率を有する第１シート状エラストマと、導電性を有するグランド層となる第１エラストマとが交互に配列されて、異方導電シートを形成する。この第１シート状エラストマとこの第１エラストマとは、長さ方向（第１短冊状エラストマの両端間を結ぶ方向）において、切れ目無く交互に配列されている。
【００７８】
一方、第４層基板においては、非導電性を有する第２シート状エラストマと、導電性を有するグランド層となる第２エラストマとが交互に配列されて、異方導電シートを形成する。この第２シート状エラストマとこの第２エラストマとは、長さ方向（第１短冊状エラストマの両端間を結ぶ方向）において、切れ目無く交互に配列されている。
【００７９】
そして、この多層基板となる高速伝送用接続シートが面圧されることにより、第１エラストマと第２エラストマは、第１高速伝送路間を隔絶する電磁遮蔽壁を形成する。更に、第１エラストマと第２エラストマは、それぞれグランド板に接触導通しており、個々の高速伝送路は四角柱のパイプで囲まれたかのように３次元で電磁遮蔽されている。
【００８０】
好適な実施態様においては、矩形の第２シート状エラストマにおいて相反する両端部の内の一方の端部に導電性を有する複数の第２短冊状エラストマが配列されてよく、矩形の第３シート状エラストマにおいて相反する両端部の内の一方の端部と対向する他方の端部に導電性を有する複数の第３短冊状エラストマが配列されてよい。
【００８１】
第２表層基板、グランド板、第１高速伝送路基板、第４層基板、グランド板、第１表層基板の順番に積層される多層基板となる高速伝送用接続シートにおいて、第１表層基板の一方に端部に一方の外部接続端子を圧接し、第２表層基板の他方に端部に他方の外部接続端子を圧接すれば、一方の外部接続端子、第２短冊状エラストマ、第４短冊状エラストマ、第１短冊状エラストマ、第１高速伝送路、第１短冊状エラストマ、第３短冊状エラストマ、他方の外部接続端子の経路を経由してこれら外部接続端子と前記複数の第１高速伝送路とが接続される。
【００８２】
このような高速伝送用接続シートにおいては、表面層に配置された一方の外部接続端子と裏面層に配置された他方の外部接続端子とを、ビアを介することなく、高速伝送路で接続することができる。
【００８３】
加えて、この多層基板となる高速伝送用接続シートが面圧されることにより、第１エラストマと第２エラストマは、第１高速伝送路間を隔絶する電磁遮蔽壁を形成する。更に、第１エラストマと第２エラストマは、それぞれグランド板に接触導通しており、個々の高速伝送路は四角柱のパイプで囲まれたかのように３次元で電磁遮蔽されている。
【００８４】
このような高速伝送用接続シートにおいては、導電性を有するエラストマとグランド板で高速伝送路を囲むように３次元で電磁遮蔽しているので、高速伝送路間のクロストークをより確かに防止できる。
【００８５】
（６）記載の発明によれば、「（５）記載の高速伝送用接続シートにおいて、前記グランド板、前記第１高速伝送路基板、前記第４層基板、前記グランド板の順番に積層されてオフセットストリップライン構造が構成され、当該オフセットストリップライン構造の両面に前記第１表層基板及び前記第２表層基板が更に積層されて多層基板を構成しており、前記グランド板と前記第１高速伝送路基板における複数のグランド層となる第１エラストマ間、前記複数のグランド層となる第１エラストマと前記第４層基板における複数のグランド層となる第２エラストマ間と、前記複数のグランド層となる第２エラストマと前記グランド板間と、がそれぞれ導電性接着剤で接合されることにより前記複数の第１高速伝送路間に電磁遮蔽壁が形成される」ことを特徴としてよい。
【００８６】
導電性を有するエラストマとグランド板で高速伝送路を囲むように３次元で電磁遮蔽している高速伝送用接続シートにおいては、グランド層となる多層間のエラストマ、及びこのエラストマとグランド板をそれぞれ導電性接着剤で、予め接合しておいてもよい。
【００８７】
（７）記載の発明によれば、「一定の誘電率を有する第１シート状エラストマと、当該第１シート状エラストマの両端に等間隔で配列されており表裏面間に導電性を有する複数の第１短冊状エラストマと、当該複数の第１短冊状エラストマの両端間を一つおきに等間隔で接続しており前記第１シート状エラストマにパターン形成された複数の第１高速伝送路と、当該第１高速伝送路を挟むように当該第１高速伝送路と平行に配列されており表裏面間に導電性を有する複数のグランド層となる第１エラストマと、を構成するストリップライン構造の第１高速伝送路基板と、非導電性を有する第２シート状エラストマと、当該第２シート状エラストマの両端に前記複数の第１短冊状エラストマと合同に配列されており表裏面間に導電性を有する複数の第２短冊状エラストマと、を構成する第１表層基板と、非導電性を有する第３シート状エラストマと、当該第３シート状エラストマの他方の端部に前記複数の第１短冊状エラストマと合同に配列されており表裏面間に導電性を有する複数の第３短冊状エラストマと、を構成する第２表層基板と、非導電性を有する第４シート状エラストマと、当該第４シート状エラストマの両端に前記複数の第１短冊状エラストマと合同に配列されており表裏面間に導電性を有する複数の第４短冊状エラストマと、前記複数のグランド層となる第１エラストマと合同に配列されており表裏面間に導電性を有する複数のグランド層となる第２エラストマと、を構成する第４層基板と、前記複数のグランド層となる第１エラストマと接触する幅を少なくとも有するグランド板と、一定の誘電率を有する第５シート状エラストマと、当該第１シート状エラストマの両端に前記複数の第１短冊状エラストマと重なる等間隔で配列されており表裏面間に導電性を有する複数の第５短冊状エラストマと、当該複数の第５短冊状エラストマの両端間を前記複数の第１高速伝送路と交互になるように一つおきに等間隔で接続しており前記第５シート状エラストマにパターン形成された複数の第２高速伝送路と、当該第２高速伝送路を挟むように当該第２高速伝送路と平行に配列されており表裏面間に導電性を有する複数のグランド層となる第３エラストマと、を構成するストリップライン構造の第２高速伝送路基板と、非導電性を有する第６シート状エラストマと、当該第６シート状エラストマの両端に前記複数の第５短冊状エラストマと合同に配列されており表裏面間に導電性を有する複数の第６短冊状エラストマと、前記複数のグランド層となる第３エラストマと合同に配列されており表裏面間に導電性を有する複数のグランド層となる第４エラストマと、を構成する第６層基板と、を備えており、前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の両端に形成された複数の第２短冊状エラストマに外部接続端子が圧接されて当該外部接続端子と前記複数の第１高速伝送路及び前記複数の第２高速伝送路とが接続される」ことを特徴としてよい。
【００８８】
第２高速伝送路基板は、一定の誘電率を有する第５シート状エラストマの両端に外部接続端子のピッチに対応して表裏面間に導電性を有する複数の第５短冊状エラストマが配列されてよい。又、一定の誘電率を有する第５シート状エラストマの両端に第１高速伝送路のピッチに対応して複数の第５短冊状エラストマが配列されてもよい。したがって、第５シート状エラストマの両端部においては、第５シート状エラストマと第５短冊状エラストマが交互に配列されて異方導電シートを形成する。
【００８９】
この一定の誘電率を有する第５シート状エラストマに導電性を有する第５短冊状エラストマを並べて異方導電シートをつくるにあたり、相互に化学的に結合させてよい。このような結合を生じさせるためにカップリング剤をその間に施してもよい。このようなカップリング材は、これらの部材を結合させる結合剤で、通常の市販の接着剤を含んでよい。具体的には、シラン系、アルミニウム系、チタネート系等のカップリング剤であってよく、シランカップリング剤が良好に用いられる。
【００９０】
好適な実施態様においては、矩形の第５シート状エラストマにおいて相反する両端部に導電性を有する複数の第５短冊状エラストマが配列されてよい。又、他の好適な実施態様においては、矩形の第５シート状エラストマにおいて隣接する両端部に導電性を有する第５短冊状エラストマが配列されてもよい。
【００９１】
第２高速伝送路基板は、両端に複数の第５短冊状エラストマが配列されている第５シート状エラストマの片面に銅箔が積層・配置された後に、プリントエッチング法により高速伝送路がパターン形成されてよい。そして、この第２高速伝送路基板は高速伝送路に対向してグランド層となる銅箔板を積層したストリップライン構造を有している。
【００９２】
第２高速伝送路基板は両端にエッジコネクタとなる複数の第５短冊状エラストマを有しており、この複数の第５短冊状エラストマ間が例えば、対をなす差動信号路でパターン接続されており、高速伝送路基板全体としてはシートの厚み方向に可撓性を有してよい。
【００９３】
第６層基板は、非導電性を有する第６シート状エラストマの両端部に導電性を有する複数の第６短冊状エラストマが配列されて異方導電シートを形成する。言い換えれば、非導電性を有する第６シート状エラストマで形成される第６表層基板は、両端部に第６シート状エラストマと第６短冊状エラストマが交互に配列されて異方導電シートを形成する。そして、この第６層基板の両端部に形成される異方導電シートは、第１高速伝送路基板における第１短冊状エラストマと第２高速伝送路基板における第５短冊状エラストマとを電気的に接続するエッジコネクタとして機能する。
【００９４】
更に、第２高速伝送路基板においては、一定の誘電率を有する第５シート状エラストマと、導電性を有するグランド層となる第３エラストマとが交互に配列されて、異方導電シートを形成する。この第５シート状エラストマとこの第３エラストマとは、長さ方向（第１短冊状エラストマの両端間を結ぶ方向）において、切れ目無く交互に配列されている。
【００９５】
一方、第６層基板においては、非導電性を有する第６シート状エラストマと、導電性を有するグランド層となる第４エラストマとが交互に配列されて、異方導電シートを形成する。この第６シート状エラストマとこの第４エラストマとは、長さ方向（第６短冊状エラストマの両端間を結ぶ方向）において、切れ目無く交互に配列されている。
【００９６】
そして、この多層基板となる高速伝送用接続シートが面圧されることにより、第３エラストマと第４エラストマは、第２高速伝送路間を隔絶する電磁遮蔽壁を形成する。更に、第３エラストマと第４エラストマは、それぞれグランド板に接触導通しており、個々の高速伝送路は四角柱のパイプで囲まれたかのように３次元で電磁遮蔽されている。
【００９７】
このような高速伝送用接続シートにおいては、導電性を有するエラストマとグランド板で高速伝送路を囲むように３次元で電磁遮蔽しているので、高速伝送路間のクロストークをより確かに防止できる。
【００９８】
更に、（７）の発明においては、第１高速伝送路基板は、第１シート状エラストマの両端に導電性を有する複数の第１短冊状エラストマを等間隔で配列している。そして、第１高速伝送路は当該複数の第１短冊状エラストマの両端間を一つおきに等間隔でパターンしている。
【００９９】
一方、第２高速伝送路基板においては、第５シート状エラストマの両端に導電性を有する複数の第５短冊状エラストマを等間隔で配列している。更に、第２高速伝送路は当該複数の第５短冊状エラストマの両端間を第１高速伝送路と交互になるように一つおきに等間隔でパターンしている。
【０１００】
このような、この多層基板となる高速伝送用接続シートの両端に複数の外部接続端子を配置して、第１表層基板に複数の外部接続端子を押圧すると、一方の外部接続端子、第２短冊状エラストマ、第４短冊状エラストマ、第１短冊状エラストマ、第１高速伝送路、第１短冊状エラストマ、第４短冊状エラストマ、第２短冊状エラストマ、他方の外部接続端子の第１経路を経由してこれら外部接続端子と複数の第１高速伝送路とが接続される。
【０１０１】
又、一方の外部接続端子、第２短冊状エラストマ、第４短冊状エラストマ、第１短冊状エラストマ、第６短冊状エラストマ、第５短冊状エラストマ、第２高速伝送路、第５短冊状エラストマ、第６短冊状エラストマ、第１短冊状エラストマ、第４短冊状エラストマ、第２短冊状エラストマ、他方の外部接続端子の第２経路を経由してこれら外部接続端子と複数の第２高速伝送路とが接続される。
【０１０２】
このように、２層に高速伝送路が配列される多層基板となる高速伝送用接続シートは、ビアに換えて短冊状エラストマで層間接続しており、高速伝送路間をグランド層となるエラストマで電磁遮蔽しつつ、階層間では高速伝送路間が交互に配列されているので、高速伝送路間にクロストークが起こることなく、高速伝送路全体として実装密度を高めることができる。
【０１０３】
（８）記載の発明によれば、「（７）記載の高速伝送用接続シートにおいて、前記第２表層基板、前記グランド板、前記第２高速伝送路基板、前記第６層基板、前記グランド板、前記第１高速伝送路基板、前記第４層基板、前記グランド板、前記第１表層基板の順番に積層されて２層のオフセットストリップライン構造を有する多層基板を構成しており、当該多層基板における前記第１表層基板の一方の端部に形成された複数の第２短冊状エラストマに一方の外部接続端子が圧接され、当該多層基板における前記第２表層基板の他方の端部に形成された複数の第３短冊状エラストマに他方の外部接続端子が圧接され、これら外部接続端子と前記複数の第１高速伝送路及び前記複数の第２高速伝送路とが接続される」ことを特徴としてよい。
【０１０４】
（９）記載の発明によれば、「（７）記載の高速伝送用接続シートにおいて、前記グランド板と前記第２高速伝送路基板における複数のグランド層となる第３エラストマ間、前記複数のグランド層となる第５エラストマと前記第６層基板における複数のグランド層となる第４エラストマ間と、前記複数のグランド層となる第４エラストマと前記グランド板間と、がそれぞれ導電性接着剤で接合されることにより前記複数の第２高速伝送路間に電磁遮蔽壁が形成される」ことを特徴としてよい。
【０１０５】
（１０）記載の発明によれば、「一定の誘電率を有する第７シート状エラストマと、当該第７シート状エラストマの両端に配列されており表裏面間に導電性を有する複数の第７短冊状エラストマと、当該複数の第７短冊状エラストマの両端間を任意に接続しており前記第７シート状エラストマにパターン形成された複数の第３高速伝送路と、当該第３高速伝送路を挟むように当該第３高速伝送路と平行に配列されており表裏面間に導電性を有する複数のグランド層となる第５エラストマと、を構成するストリップライン構造の第３高速伝送路基板と、一定の誘電率を有する第８シート状エラストマと、当該第８シート状エラストマの両端に配列されており表裏面間に導電性を有する複数の第８短冊状エラストマと、当該複数の第８短冊状エラストマの両端間を任意に接続しており前記第８シート状エラストマにパターン形成された複数の第４高速伝送路と、当該第４高速伝送路を挟むように当該第４高速伝送路と平行に配列されており表裏面間に導電性を有する複数のグランド層となる第６エラストマと、を構成するストリップライン構造の第４高速伝送路基板と、非導電性を有する第９シート状エラストマと、当該第９シート状エラストマの両端に前記複数の第７短冊状エラストマと合同に配列されており表裏面間に導電性を有する複数の第９短冊状エラストマと、を構成するトップシートと、非導電性を有する第１０シート状エラストマと、当該第１０シート状エラストマの両端に前記複数の第７短冊状エラストマと合同に配列されており表裏面間に導電性を有する複数の第１０短冊状エラストマと、前記複数のグランド層となる第５エラストマと合同に配列されており表裏面間に導電性を有する複数のグランド層となる第７エラストマと、を構成する第１中間層基板と、非導電性を有する第１１シート状エラストマと、当該第１１シート状エラストマの両端に前記複数の第８短冊状エラストマと合同に配列されており表裏面間に導電性を有する複数の第１１短冊状エラストマと、前記複数のグランド層となる第６エラストマと合同に配列されており表裏面間に導電性を有する複数のグランド層となる第８エラストマと、を構成する第２中間層基板と、非導電性を有する第１２シート状エラストマと、当該第１２シート状エラストマの両端に前記複数の第８短冊状エラストマと合同に配列されており表裏面間に導電性を有する複数の第１２短冊状エラストマと、を構成する第３中間層基板と、前記複数のグランド層となる第５エラストマ及び前記複数のグランド層となる第６エラストマと接触する幅を少なくとも有するグランド板と、非導電性を有する第１３シート状エラストマで構成されるボトムシートと、を備えており、前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記複数の第３高速伝送路と前記複数の第４高速伝送路とは立体交差されている」ことを特徴としてよい。
【０１０６】
第３高速伝送路基板は、一定の誘電率を有する第７シート状エラストマの両端に外部接続端子のピッチに対応して表裏面間に導電性を有する複数の第７短冊状エラストマが配列されてよい。又、一定の誘電率を有する第７シート状エラストマの両端に第３高速伝送路のピッチに対応して複数の第７短冊状エラストマが配列されてもよい。したがって、第７シート状エラストマの両端部においては、第７シート状エラストマと第７短冊状エラストマが交互に配列されて異方導電シートを形成する。
【０１０７】
この一定の誘電率を有する第７シート状エラストマに導電性を有する第７短冊状エラストマを並べて異方導電シートをつくるにあたり、相互に化学的に結合させてよい。このような結合を生じさせるためにカップリング剤をその間に施してもよい。このようなカップリング材は、これらの部材を結合させる結合剤で、通常の市販の接着剤を含んでよい。具体的には、シラン系、アルミニウム系、チタネート系等のカップリング剤であってよく、シランカップリング剤が良好に用いられる。
【０１０８】
好適な実施態様においては、矩形の第７シート状エラストマにおいて相反する両端部に導電性を有する複数の第７短冊状エラストマが配列されてよい。又、他の好適な実施態様においては、矩形の第７シート状エラストマにおいて隣接する両端部に導電性を有する第７短冊状エラストマが配列されてもよい。
【０１０９】
第３高速伝送路基板は、両端に複数の第７短冊状エラストマが配列されている第７シート状エラストマの片面に銅箔が積層・配置された後に、プリントエッチング法により高速伝送路がパターン形成されてよい。そして、この第３高速伝送路基板は高速伝送路に対向してグランド層となる銅箔板を積層したストリップライン構造を有している。
【０１１０】
第４高速伝送路基板は、一定の誘電率を有する第８シート状エラストマの両端に外部接続端子のピッチに対応して表裏面間に導電性を有する複数の第８短冊状エラストマが配列されてよい。又、一定の誘電率を有する第８シート状エラストマの両端に第４高速伝送路のピッチに対応して複数の第８短冊状エラストマが配列されてもよい。したがって、第８シート状エラストマの両端部においては、第８シート状エラストマと第８短冊状エラストマが交互に配列されて異方導電シートを形成する。
【０１１１】
この一定の誘電率を有する第８シート状エラストマに導電性を有する第８短冊状エラストマを並べて異方導電シートをつくるにあたり、相互に化学的に結合させてよい。このような結合を生じさせるためにカップリング剤をその間に施してもよい。このようなカップリング材は、これらの部材を結合させる結合剤で、通常の市販の接着剤を含んでよい。具体的には、シラン系、アルミニウム系、チタネート系等のカップリング剤であってよく、シランカップリング剤が良好に用いられる。
【０１１２】
好適な実施態様においては、矩形の第８シート状エラストマにおいて相反する両端部に導電性を有する複数の第８短冊状エラストマが配列されてよい。又、他の好適な実施態様においては、矩形の第８シート状エラストマにおいて隣接する両端部に導電性を有する第８短冊状エラストマが配列されてもよい。
【０１１３】
第４高速伝送路基板は、両端に複数の第８短冊状エラストマが配列されている第８シート状エラストマの片面に銅箔が積層・配置された後に、プリントエッチング法により高速伝送路がパターン形成されてよい。そして、この第８高速伝送路基板は高速伝送路に対向してグランド層となる銅箔板を積層したストリップライン構造を有している。
【０１１４】
トップシートは、非導電性を有する第９シート状エラストマの両端部に導電性を有する複数の第９短冊状エラストマが配列されて異方導電シートを形成する。言い換えれば、非導電性を有する第９シート状エラストマで形成されるトップシートは、両端部に第９シート状エラストマと第９短冊状エラストマが交互に配列されて異方導電シートを形成する。そして、両端部に形成されるこの異方導電シートは、外部接続端子が電気的に接続されるエッジコネクタとして機能する。
【０１１５】
第１中間層基板は、非導電性を有する第１０シート状エラストマの両端部に導電性を有する複数の第１０短冊状エラストマが配列されて異方導電シートを形成する。言い換えれば、非導電性を有する第１０シート状エラストマで形成される第１中間層基板は、両端部に第１０シート状エラストマと第１０短冊状エラストマが交互に配列されて異方導電シートを形成する。そして、両端部に形成されるこの異方導電シートは、当該異方導電シートの表裏面に積層される導電性を有する短冊状エラストマと電気的に接続されるエッジコネクタとして機能する。
【０１１６】
第２中間層基板は、非導電性を有する第１１シート状エラストマの両端部に導電性を有する複数の第１１短冊状エラストマが配列されて異方導電シートを形成する。言い換えれば、非導電性を有する第１１シート状エラストマで形成される第２中間層基板は、両端部に第１１シート状エラストマと第１１短冊状エラストマが交互に配列されて異方導電シートを形成する。そして、両端部に形成されるこの異方導電シートは、当該異方導電シートの表裏面に積層される導電性を有する短冊状エラストマと電気的に接続されるエッジコネクタとして機能する。
【０１１７】
第３中間層基板は、非導電性を有する第１２シート状エラストマの両端部に導電性を有する複数の第１２短冊状エラストマが配列されて異方導電シートを形成する。言い換えれば、非導電性を有する第１２シート状エラストマで形成される第３中間層基板は、両端部に第１２シート状エラストマと第１２短冊状エラストマが交互に配列されて異方導電シートを形成する。そして、両端部に形成されるこの異方導電シートは、当該異方導電シートの表裏面に積層される導電性を有する短冊状エラストマと電気的に接続されるエッジコネクタとして機能する。
【０１１８】
更に、第３高速伝送路基板は、第３高速伝送路が形成されている一定の誘電率を有する第７シート状エラストマを、導電性を有するグランド層となる第５エラストマが挟むように配列されて、異方導電シートを形成する。一方、第４高速伝送路基板は、第４高速伝送路が形成されている一定の誘電率を有する第８シート状エラストマを、導電性を有するグランド層となる第６エラストマが挟むように配列されて、異方導電シートを形成する。
【０１１９】
ボトムシート、グランド板、第４高速伝送路基板、第２中間層基板、グランド板、第３中間層基板、グランド板、第３高速伝送路基板、第１中間層基板、グランド板、トップシートの順番に積層されている多層基板となる高速伝送用接続シートは、第５エラストマと第７エラストマが当接することにより、第３高速伝送路間を隔絶する電磁遮蔽壁を形成する。更に、第５エラストマと第７エラストマは、それぞれグランド板に接触導通しており、個々の高速伝送路は四角柱のパイプで囲まれたかのように３次元で電磁遮蔽されている。
【０１２０】
一方、第４高速伝送路基板における第６エラストマと、第２中間層基板における第８エラストマが当接することにより、第４高速伝送路間を隔絶する電磁遮蔽壁を形成する。更に、第６エラストマと第８エラストマは、それぞれグランド板に接触導通しており、個々の高速伝送路は四角柱のパイプで囲まれたかのように３次元で電磁遮蔽されている。
【０１２１】
このように、多層基板となる高速伝送用接続シートにおいて、層間で高速伝送路が立体交差する場合においても、高速伝送路間のクロストークを３次元で電磁遮蔽することができる。更に、３次元のストリップラインを有する多層板において、短絡を防止するために従来のようにビアで立体接続することなく、導電性エラストマで信号線を立体接続できる。
【０１２２】
（１１）記載の発明によれば、「（１０）記載の高速伝送用接続シートにおいて、前記ボトムシート、前記グランド板、前記第４高速伝送路基板、前記第２中間層基板、前記グランド板、前記第３中間層基板、前記グランド板、前記第３高速伝送路基板、前記第１中間層基板、前記グランド板、前記トップシートの順番に積層されて２層のオフセットストリップライン構造を有する多層基板を構成しており、当該多層基板における前記トップシートの両端に形成された複数の第９短冊状エラストマに外部接続端子が圧接されて当該外部接続端子と前記複数の第３高速伝送路及び前記複数の第４高速伝送路とが接続される」ことを特徴としてよい。
【０１２３】
（１２）記載の発明によれば、「（１）から（１１）のいずれかに記載の高速伝送用接続シートにおいて、前記高速伝送路は対をなす差動信号路を含む」ことを特徴としてよい。
【発明の効果】
【０１２４】
本発明による高速伝送用接続シートは、エッジコネクタとなる導電性を有する複数の短冊状エラストマに外部接続端子が密着するように面接されるので、外部接続端子とエッジコネクタ間に空気層が無くなり、外部接続端子の接続端での高速信号の反射が起こりにくくなるという効果がある。
【０１２５】
又、本発明による高速伝送用接続シートは、導電性を有するエラストマとグランド板で高速伝送路を囲むように３次元で電磁遮蔽しているので、高速伝送路間のクロストークをより確かに防止できる。
【０１２６】
更に、２層に高速伝送路が配列される多層基板となる本発明による高速伝送用接続シートは、ビアに換えて短冊状エラストマで層間接続しており、高速伝送路間をグランド層となるエラストマで電磁遮蔽しつつ、階層間では高速伝送路間が交互に配列されているので、高速伝送路間にクロストークが起こることなく、高速伝送路全体として実装密度を高めることができる。
【０１２７】
又、本発明による多層基板となる高速伝送用接続シートは、層間で高速伝送路が立体交差する場合においても、高速伝送路間のクロストークを３次元で電磁遮蔽することができる。更に、３次元のストリップラインを有する多層板において、短絡を防止するために従来のようにビアで立体接続することなく、導電性エラストマで信号線を立体接続できる。
【発明を実施するための最良の形態】
【０１２８】
以下、図面を参照して本発明を実施するための最良の形態を説明する。
【０１２９】
図１は、本発明の第１実施形態である高速伝送用接続シートの構成を示す斜視分解組立図である。図１において、符号１は第１高速伝送路基板、符号２は第１表層基板、符号３は第２表層基板である。又、符号４は第４層基板、符号５は第２高速伝送路基板、符号６は第６層基板、符号５Ｇはグランド板である。
【０１３０】
図１の第１実施形態において、第１高速伝送路基板１は一定の誘電率を有するエラストマでシート状に形成されている。そして、第１高速伝送路基板１の基材となる第１シート状エラストマ１Ａの両端には、表裏面間に導電性を有する複数の第１短冊状エラストマ１Ｂが対向するように配列されている。導電性を有する第１短冊状エラストマ１Ｂはシリコーンゴムに導電性の粒子が混入されている。この第１高速伝送路基板１の両端部においては、第１シート状エラストマ１Ａと第１短冊状エラストマ１Ｂが交互に配列されて異方導電シートを形成している。
【０１３１】
そして、複数の第１高速伝送路１Ｃは、第１シート状エラストマ１Ａの表面にパターン形成されており、当該複数の第１高速伝送路１Ｃは、複数の第１短冊状エラストマ１Ｂの両端間を一つおきに等間隔で接続している。図１の実施形態において、複数の第１高速伝送路１Ｃは、対をなす差動信号線路で形成されている。複数の第１高速伝送路１Ｃと対向する第１シート状エラストマ１Ａの裏面には、後述するグランド板５Ｇが積層されて、第１高速伝送路基板１はストリップライン構造を有している。
【０１３２】
又、第１高速伝送路基板１は、表裏面間に導電性を有する複数のグランド層となる第１エラストマ１Ｄが、第１高速伝送路１Ｃを挟むように第１高速伝送路１Ｃと平行に配列されている。導電性を有する第１エラストマ１Ｄはシリコーンゴムに導電性の粒子が混入されている。
【０１３３】
この第１高速伝送路基板１においては、一定の誘電率を有する第１シート状エラストマ１Ａと、導電性を有するグランド層となる第１エラストマ１Ｄとが交互に配列されて、異方導電シートを形成する。第１シート状エラストマ１Ａと第１エラストマ１Ｄとは、長さ方向（第１短冊状エラストマ１Ｂの両端間を結ぶ方向）において、切れ目無く交互に配列されている。
【０１３４】
図１の第１実施形態において、第１表層基板２は非導電性を有するエラストマでシート状に形成されている。そして、第１表層基板２の基材となる第２シート状エラストマ２Ａの両端には、表裏面間に導電性を有する複数の第２短冊状エラストマ２Ｂが対向するように配列されている。導電性を有する複数の第２短冊状エラストマ２Ｂは、複数の第１短冊状エラストマ１Ｂと合同に配列されている。導電性を有する第２短冊状エラストマは、比較的可撓性を有するエラストマに導電性の粒子が混入されている。この第１表層基板２の両端部においては、非導電性を有する第１シート状エラストマ１Ａと、導電性を有する第１短冊状エラストマ１Ｂが交互に配列されて異方導電シートを形成する。
【０１３５】
同様に、図１の実施形態において、第２表層基板３は非導電性を有するエラストマでシート状に形成されている。そして、第２表層基板３の基材となる第３シート状エラストマ３Ａの両端には、表裏面間に導電性を有する複数の第３短冊状エラストマ３Ｂが対向するように配列されている。導電性を有する複数の第３短冊状エラストマ３Ｂは、複数の第１短冊状エラストマ１Ｂと合同に配列されている。導電性を有する第３短冊状エラストマ３Ｂは、比較的可撓性を有するエラストマに導電性の粒子が混入されている。この第２表層基板３の両端部においては、非導電性を有する第３シート状エラストマ３Ａと、導電性を有する第３短冊状エラストマ３Ｂが交互に配列されて異方導電シートを形成している。
【０１３６】
図１の実施形態において、第４層基板４は非導電性を有するエラストマでシート状に形成されている。そして、第４層基板４の基材となる第４シート状エラストマ４Ａの両端には、表裏面間に導電性を有する複数の第４短冊状エラストマ４Ｂが対向するように配列されている。導電性を有する第４短冊状エラストマ４Ｂはシリコーンゴムに導電性の粒子が混入されている。この第４層基板４の両端部においては、第４シート状エラストマ４Ａと第４短冊状エラストマ４Ｂが交互に配列されて異方導電シートを形成している。
【０１３７】
又、第４層基板４は、表裏面間に導電性を有する複数のグランド層となる第２エラストマ４Ｄが、複数のグランド層となる第１エラストマ１Ｄと合同に配列されている。導電性を有する第２エラストマ４Ｄはシリコーンゴムに導電性の粒子が混入されている。
【０１３８】
この第４層基板４においては、非導電性を有する第４シート状エラストマ４Ａと、導電性を有するグランド層となる第２エラストマ４Ｄとが交互に配列されて、異方導電シートを形成する。第４シート状エラストマ４Ａと第２エラストマ４Ｄとは、長さ方向（第４短冊状エラストマ４Ｂの両端間を結ぶ方向）において、切れ目無く交互に配列されている。
【０１３９】
図１の実施形態において、第２高速伝送路基板５は一定の誘電率を有するエラストマでシート状に形成されている。そして、第２高速伝送路基板５の基材となる第５シート状エラストマ５Ａの両端には、表裏面間に導電性を有する複数の第５短冊状エラストマ５Ｂが対向するように配列されている。導電性を有する第５短冊状エラストマ５Ｂはシリコーンゴムに導電性の粒子が混入されている。この第２高速伝送路基板５の両端部においては、第５シート状エラストマ５Ａと第５短冊状エラストマ５Ｂが交互に配列されて異方導電シートを形成している。
【０１４０】
そして、複数の第２高速伝送路５Ｃは、第５シート状エラストマ５Ａの表面にパターン形成されており、当該複数の第２高速伝送路５Ｃは、複数の第５短冊状エラストマ５Ｂの両端間を複数の第１高速伝送路１Ｃと交互になるように一つおきに等間隔で接続している。図１の実施形態において、複数の第２高速伝送路５Ｃは、対をなす差動信号線路で形成されている。複数の第２高速伝送路５Ｃと対向する第５シート状エラストマ５Ａの裏面には、グランド板５Ｇが積層されて、第２高速伝送路基板５はストリップライン構造を有している。
【０１４１】
又、第２高速伝送路基板５は、表裏面間に導電性を有する複数のグランド層となる第３エラストマ５Ｄが、第２高速伝送路５Ｃを挟むように第２高速伝送路５Ｃと平行に配列されている。導電性を有する第３エラストマ５Ｄはシリコーンゴムに導電性の粒子が混入されている。
【０１４２】
この第２高速伝送路基板５においては、一定の誘電率を有する第５シート状エラストマ５Ａと、導電性を有するグランド層となる第３エラストマ５Ｄとが交互に配列されて、異方導電シートを形成する。第５シート状エラストマ５Ａと第３エラストマ５Ｄとは、長さ方向（第５短冊状エラストマ５Ｂの両端間を結ぶ方向）において、切れ目無く交互に配列されている。
【０１４３】
図１の実施形態において、第６層基板６は非導電性を有するエラストマでシート状に形成されている。そして、第６層基板６の基材となる第６シート状エラストマ６Ａの両端には、表裏面間に導電性を有する複数の第６短冊状エラストマ６Ｂが対向するように配列されている。導電性を有する第６短冊状エラストマ６Ｂはシリコーンゴムに導電性の粒子が混入されている。この第６層基板６の両端部においては、第６シート状エラストマ６Ａと第６短冊状エラストマ６Ｂが交互に配列されて異方導電シートを形成している。
【０１４４】
又、第６層基板６は、表裏面間に導電性を有する複数のグランド層となる第４エラストマ６Ｄが、複数のグランド層となる第３エラストマ５Ｄと合同に配列されている。導電性を有する第４エラストマ６Ｄはシリコーンゴムに導電性の粒子が混入されている。
【０１４５】
この第６層基板６においては、非導電性を有する第６シート状エラストマ６Ａと、導電性を有するグランド層となる第４エラストマ６Ｄとが交互に配列されて、異方導電シートを形成する。第６シート状エラストマ６Ａと第４エラストマ６Ｄとは、長さ方向（第６短冊状エラストマ６Ｂの両端間を結ぶ方向）において、切れ目無く交互に配列されている。
【０１４６】
銅箔板となるグランド板５Ｇは、複数のグランド層となる第１エラストマ１Ｄと接触する幅を少なくとも有している。図１の実施形態において、グランド板５Ｇの両端部は導電性を有する短冊状エラストマと接触しないように切り欠かれている。
【０１４７】
以上のように構成される高速伝送用接続シートを、第２表層基板３、グランド板５Ｇ、第２高速伝送路基板５、第６層基板６、グランド板５Ｇ、第１高速伝送路基板１、第４層基板４、グランド板５Ｇ、第１表層基板２の順番に積層・接着すれば、図２に示される高速伝送用接続シート１００を得ることができる。
【０１４８】
図２は、本発明による第１実施形態である高速伝送用接続シート１００の斜視外観図である。なお、グランド板５Ｇは厚さ３５μｍ以下の銅箔板であるが、図２においては、グランド板５Ｇの構成を明瞭にするため、厚さを誇張して描いている。
【０１４９】
又、図２に示された高速伝送用接続シート１００を積層するにあたり、グランド板５Ｇと第１高速伝送路基板１における複数のグランド層となる第１エラストマ１Ｄ間と、複数のグランド層となる第１エラストマ１Ｄと第４層基板４における複数のグランド層となる第２エラストマ４Ｄ間と、複数のグランド層となる第２エラストマ４Ｄとグランド板５Ｇ間と、がそれぞれ導電性接着剤で接合されてもよく、複数の第１高速伝送路１Ｃ間に電磁遮蔽壁が形成される。
【０１５０】
同様に、図２に示された高速伝送用接続シート１００を積層するにあたり、グランド板５Ｇと第２高速伝送路基板２における複数のグランド層となる第３エラストマ５Ｄ間、複数のグランド層となる第３エラストマ５Ｄと第６層基板６における複数のグランド層となる第４エラストマ６Ｄ間と、複数のグランド層となる第４エラストマ６Ｄとグランド板５Ｇ間と、がそれぞれ導電性接着剤で接合されてもよく、複数の第２高速伝送路５Ｃ間に電磁遮蔽壁が形成される。
【０１５１】
図２の実施形態において、高速伝送用接続シート１００における一方の端部の上方には、一方の外部接続端子となるプラグピン１１Ｐが配置されている。このプラグピン１１Ｐは、第１表層基板２の両端部に配列されている導電性を有する第２短冊状エラストマ２Ｂと同じ間隔で配列されている。
【０１５２】
一方、図２の実施形態において、高速伝送用接続シート１００における他方の端部の下方には、他方の外部接続端子となるプラグピン１２Ｐが配置されている。このプラグピン１２Ｐは、第２表層基板３の両端部に配列されている導電性を有する第３短冊状エラストマ３Ｂと同じ間隔で配列されている。
【０１５３】
図２において、プラグピン１１Ｐ及びプラグピン１２Ｐと共に、高速伝送用接続シート１００全体を面圧すれば、プラグピン１１Ｐとプラグピン１２Ｐ間に複数の第１高速伝送路１Ｃ及び複数の第２高速伝送路５Ｃを接続できる。
【０１５４】
図３は、図１における第１高速伝送路基板１と第２高速伝送路基板５を抽出した斜視分解組立図である。
【０１５５】
図３の実施形態に示されるように、第１高速伝送路基板１の両端には、表裏面間に導電性を有する複数の第１短冊状エラストマ１Ｂが等間隔ＰＹで配列されている。そして、第１高速伝送路１Ｃは、第１短冊状エラストマ１Ｂの両端間を一つおきに等間隔で接続している。更に、この第１高速伝送路１Ｃは、表裏面間に導電性を有する複数のグランド層となる第１エラストマ１Ｄで、当該第１高速伝送路１Ｃを挟むように電磁遮蔽している。
【０１５６】
同様に、図３の実施形態に示されるように、第２高速伝送路基板５の両端には、表裏面間に導電性を有する複数の第５短冊状エラストマ５Ｂが等間隔ＰＹで配列されている。そして、第２高速伝送路５Ｃは、第５短冊状エラストマ５Ｂの両端間を一つおきに等間隔で接続している。更に、この第２高速伝送路５Ｃは、表裏面間に導電性を有する複数のグランド層となる第３エラストマ５Ｄで、当該第２高速伝送路５Ｃを挟むように電磁遮蔽している。
【０１５７】
そして、第１高速伝送路１Ｃと第２高速伝送路５Ｃは積層されて交互になるように配置されている。このように構成された高速伝送用接続シート１００全体を面圧すれば、グランド板５と第１高速伝送路基板１における複数のグランド層となる第１エラストマ１Ｄ間と、複数のグランド層となる第１エラストマ１Ｄと第４層基板４における複数のグランド層となる第２エラストマ４Ｄ間と、複数のグランド層となる第２エラストマ４Ｄとグランド板５Ｇ間と、がそれぞれと当接されることにより複数の第１高速伝送路１Ｃ間に電磁遮蔽壁が形成される。
【０１５８】
同様に、グランド板５Ｇと第２高速伝送路基板２における複数のグランド層となる第３エラストマ５Ｄ間、複数のグランド層となる第３エラストマ５Ｄと第６層基板６における複数のグランド層となる第４エラストマ６Ｄ間と、複数のグランド層となる第４エラストマ６Ｄとグランド板５Ｇ間と、がそれぞれと当接されることにより複数の第２高速伝送路５Ｃ間に電磁遮蔽壁が形成される。
【０１５９】
次に、図２に示された高速伝送用接続シート１００の作用を図４により説明する。図４（ａ）は、図２における第１高速伝送路１Ｃ上で縦断面図、図４（ｂ）は、図２における第２高速伝送路５Ｃ上で縦断面図である。なお、図４において、各高速伝送路の電磁遮蔽壁となる各導電性を有するエラストマ間、又は、各導電性を有するエラストマとグランド板５Ｇ間は予め導電性接着剤で接合されているものとする。
【０１６０】
図４（ａ）に示されるように、この多層基板となる高速伝送用接続シートの一端に複数の外部接続端子となるプラグピン１１Ｐを配置し、高速伝送用接続シートの他端に複数の外部接続端子１２Ｐを配置する。そして、第１表層基板２に複数の外部接続端子となるプラグピン１１ＰをＰの方向に押圧し、第１表層基板２の多端部をＰの方向に押圧すると、一方の外部接続端子１１Ｐ、第２短冊状エラストマ２Ｂ、第４短冊状エラストマ４Ｂ、第１高速伝送路１Ｃ、第１短冊状エラストマ１Ｂ、第６短冊状エラストマ６Ｂ、第５短冊状エラストマ５Ｂ、第３短冊状エラストマ３Ｂ、他方の外部接続端子１２Ｐの第１経路を経由してこれら外部接続端子となるプラグピン１１Ｐ及び１２Ｐと複数の第１高速伝送路１Ｃとが接続される。
【０１６１】
同様に、第１表層基板２に複数の外部接続端子となるプラグピン１１ＰをＰの方向に押圧し、第１表層基板２の多端部をＰの方向に押圧すると、一方の外部接続端子１１Ｐ、第２短冊状エラストマ２Ｂ、第４短冊状エラストマ４Ｂ、第１短冊状エラストマ１Ｂ、第６短冊状エラストマ６Ｂ、第２高速伝送路５Ｃ、第５短冊状エラストマ５Ｂ、第３短冊状エラストマ３Ｂ、他方の外部接続端子１２Ｐの第２経路を経由してこれら外部接続端子となるプラグピン１１Ｐ及び１２Ｐと複数の第２高速伝送路５Ｃとが接続される。
【０１６２】
なお、図４（ａ）においては、一方の第１短冊状エラストマ１Ｂの下方には、それぞれ導電性を有する第６短冊状エラストマ６Ｂ、第５短冊状エラストマ５Ｂ、第３短冊状エラストマ３Ｂを配置することは信号が反射することから好ましくなく、各基材となる一定の誘電率を有するシート状エラスト又は非導電性マエラストマで形成されることが好ましい。
【０１６３】
同様に、図４（ｂ）においては、他方の第５短冊状エラストマ５Ｂの上方には、それぞれ導電性を有する第６短冊状エラストマ６Ｂ、第１短冊状エラストマ１Ｂ、第４短冊状エラストマ４Ｂを配置することは信号が反射することから好ましくなく、各基材となる一定の誘電率を有するシート状エラスト又は非導電性マエラストマで形成されることが好ましい。
【０１６４】
このような外部接続構造を有する高速伝送用接続シートにおいては、エッジコネクタとなる導電性を有する複数の短冊状エラストマに外部接続端子が密着するように面接されるので、外部接続端子とエッジコネクタ間に空気層が無くなり、外部接続端子の接続端での高速信号の反射が起こりにくくなる。
【０１６５】
このような層間接続構造を有する高速伝送用接続シートにおいては、ビアを設けることなく押圧するのみで表層パターンと高速伝送路を接続できる。更に、高速伝送路の下面に非導電のエラストマシートを積層すれば、従来のように板厚方向に貫通ビアを設けることがないので、板厚方向に信号の反射が起こりにくいという利点がある。そして、ビアに換わるエッジコネクタとなる導電性の短冊状エラストマは、垂直方向（板厚方向）にストリップラインの等価性が保障されるという利点もある。
【０１６６】
更に、このような高速伝送用接続シートにおいては、導電性を有するエラストマとグランド板で高速伝送路を囲むように３次元で電磁遮蔽しているので、高速伝送路間のクロストークをより確かに防止できる。
【０１６７】
図１に示された第１実施形態による多層基板となる高速伝送用接続シートは、用途や目的に応じて構成や配置を適宜、組み合せることにより、以下のような所望の高速伝送用接続シートを得ることができる。
【０１６８】
第１実施例による好適な高速伝送用接続シートは、一定の誘電率を有する第１シート状エラストマ１Ａと、第１シート状エラストマ１Ａの両端に配列されており表裏面間に導電性を有する複数の第１短冊状エラストマ１Ｂと、複数の第１短冊状エラストマ１Ｂの両端間を接続しており第１シート状エラストマ１Ａにパターン形成された複数の第１高速伝送路１Ｃと、を構成するストリップライン構造の第１高速伝送路基板１と、非導電性を有する第２シート状エラストマ２Ａと、第２シート状エラストマ２Ａの両端に複数の第１短冊状エラストマ１Ｂと合同に配列されており表裏面間に導電性を有する複数の第２短冊状エラストマ２Ｂと、を構成する第１表層基板２と、を備えている。
【０１６９】
第１実施例による好適な高速伝送用接続シートは、グランド板５Ｇに第１高速伝送路基板１が積層され、この第１高速伝送路基板１に第１表層基板２が積層されて多層基板を構成している。そして、第１実施例による第１高速伝送路基板１は、等間隔に配列された第１短冊状エラストマ１Ｂに複数の第１高速伝送路１Ｃがパターン形成されている。又、第１実施例による第１高速伝送路基板１は、表裏面間に導電性を有する複数のグランド層となる第１エラストマ１Ｄは配列されていない。
【０１７０】
このような第１実施例による高速伝送用接続シートは、第１表層基板２の両端に形成された複数の第２短冊状エラストマ２Ｂに外部接続端子が圧接されて当該外部接続端子と複数の第１高速伝送路１Ｃとが接続される。このような第１実施例による高速伝送用接続シートは、伝送信号間のクロストークを厳密に防止する必要が無い場合に安価となる好適な高速伝送用接続シートである。
【０１７１】
第２実施例による好適な高速伝送用接続シートは、一定の誘電率を有する第１シート状エラストマ１Ａと、第１シート状エラストマ１Ａの両端に配列されており表裏面間に導電性を有する複数の第１短冊状エラストマ１Ｂと、複数の第１短冊状エラストマ１Ｂの両端間を接続しており第１シート状エラストマ１Ａにパターン形成された複数の第１高速伝送路１Ｃと、を構成するストリップライン構造の第１高速伝送路基板１と、非導電性を有する第２シート状エラストマ２Ａと、第２シート状エラストマ２Ａの一方の端部に複数の第１短冊状エラストマ１Ｂと合同に配列されており表裏面間に導電性を有する複数の第２短冊状エラストマ２Ｂと、を構成する第１表層基板２と、非導電性を有する第３シート状エラストマ３Ａと、第３シート状エラストマ３Ａの他方の端部に複数の第１短冊状エラストマ１Ｂと合同に配列されており表裏面間に導電性を有する複数の第３短冊状エラストマ３Ｂと、を構成する第２表層基板３と、を備えている。
【０１７２】
第２実施例による好適な高速伝送用接続シートは、第２表層基板３にグランド板５Ｇが積層され、グランド板５Ｇに第１高速伝送路基板１が積層され、この第１高速伝送路基板１に第１表層基板２が積層されて多層基板を構成している。第２実施例による好適な高速伝送用接続シートは、第１高速伝送路基板１をコア基板として第１表層基板２と第２表層基板３とが対向するように積層されて多層基板を構成している。そして、第２実施例による第１高速伝送路基板１は、等間隔に配列された第１短冊状エラストマ１Ｂに複数の第１高速伝送路１Ｃがパターン形成されている。又、第２実施例による第１高速伝送路基板１は、表裏面間に導電性を有する複数のグランド層となる第１エラストマ１Ｄは配列されていない。
【０１７３】
このような第２実施例による高速伝送用接続シートは、第１表層基板２の一方の端部に形成された複数の第２短冊状エラストマ２Ｂに一方の外部接続端子が圧接され、第２表層基板３の他方の端部に形成された複数の第３短冊状エラストマ３Ｂに他方の外部接続端子が圧接され、これら外部接続端子と複数の第１高速伝送路１Ｃとが接続される。このような第２実施例による高速伝送用接続シートは、伝送信号間のクロストークを厳密に防止する必要が無い場合に安価となる好適な高速伝送用接続シートである。
【０１７４】
第３実施例による好適な高速伝送用接続シートは、一定の誘電率を有する第１シート状エラストマ１Ａと、第１シート状エラストマ１Ａの両端に配列されており表裏面間に導電性を有する複数の第１短冊状エラストマ１Ｂと、複数の第１短冊状エラストマ１Ｂの両端間を接続しており第１シート状エラストマ１Ａにパターン形成された複数の第１高速伝送路１Ｃと、第１高速伝送路１Ｃを挟むように第１高速伝送路１Ｃと平行に配列されており表裏面間に導電性を有する複数のグランド層となる第１エラストマ１Ｄと、を構成するストリップライン構造の第１高速伝送路基板１を備えている。
【０１７５】
又、第３実施例による好適な高速伝送用接続シートは、非導電性を有する第２シート状エラストマ２Ａと、第２シート状エラストマ２Ａの両端に複数の第１短冊状エラストマ１Ａと合同に配列されており表裏面間に導電性を有する複数の第２短冊状エラストマ２Ｂと、を構成する第１表層基板２を備えている。更に、非導電性を有する第４シート状エラストマ４Ａと、第４シート状エラストマ４Ａの両端に複数の第１短冊状エラストマ１Ｂと合同に配列されており表裏面間に導電性を有する複数の第４短冊状エラストマ４Ｂと、複数のグランド層となる第１エラストマ１Ｄと合同に配列されており表裏面間に導電性を有する複数のグランド層となる第２エラストマ４Ｄと、を構成する第４層基板４と、複数のグランド層となる第１エラストマと接触する幅を少なくとも有するグランド板と、を備えている。
【０１７６】
第３実施例による好適な高速伝送用接続シートは、グランド板５Ｇ、第１高速伝送路基板１、第４層基板４、グランド板５Ｇの順番に積層されてオフセットストリップライン構造が構成され、当該オフセットストリップライン構造に第１表層基板２が更に積層されて多層基板を構成している。
【０１７７】
このような第３実施例による高速伝送用接続シートは、第１表層基板２の両端に形成された複数の第２短冊状エラストマ２Ｂに外部接続端子が圧接されて当該外部接続端子と複数の第１高速伝送路１Ｃとが接続される。更に、当該多層基板が面圧されることにより複数の第１高速伝送路１Ｃ間に電磁遮蔽壁が形成される。このような第３実施例による高速伝送用接続シートは、単層のオフセットストリップライン構造を有し、伝送信号間のクロストークを厳密に防止できる好適な高速伝送用接続シートである。
【０１７８】
第４実施例による好適な高速伝送用接続シートは、第３実施例による高速伝送用接続シートにおいて、図１に示されたグランド板５Ｇ、第１高速伝送路基板１、第４層基板４、グランド板５Ｇの順番に積層されてオフセットストリップライン構造が構成され、当該オフセットストリップライン構造に第１表層基板２が更に積層されて多層基板を構成している。
【０１７９】
そして、第４実施例による高速伝送用接続シートは、グランド板５Ｇと第１高速伝送路基板１における複数のグランド層となる第１エラストマ１Ｄ間と、複数のグランド層となる第１エラストマ１Ｄと第４層基板４における複数のグランド層となる第２エラストマ４Ｄ間と、複数のグランド層となる第２エラストマ４Ｄとグランド板５Ｇ間と、がそれぞれ導電性接着剤で接合されることにより複数の第１高速伝送路１Ｃ間に３次元構成の電磁遮蔽壁が形成される。
【０１８０】
第５実施例による好適な高速伝送用接続シートは、一定の誘電率を有する第１シート状エラストマ１Ａと、第１シート状エラストマ１Ａの両端に配列されており表裏面間に導電性を有する複数の第１短冊状エラストマ１Ｂと、複数の第１短冊状エラストマ１Ｂの両端間を接続しており第１シート状エラストマ１Ａにパターン形成された複数の第１高速伝送路１Ｃと、第１高速伝送路１Ｃを挟むように第１高速伝送路１Ｃと平行に配列されており表裏面間に導電性を有する複数のグランド層となる第１エラストマ１Ｄと、を構成するストリップライン構造の第１高速伝送路基板１を備えている。
【０１８１】
又、第５実施例による好適な高速伝送用接続シートは、非導電性を有する第２シート状エラストマ２Ａと、第２シート状エラストマ２Ａの一方の端部に複数の第１短冊状エラストマと合同に配列されており表裏面間に導電性を有する複数の第２短冊状エラストマ２Ｂと、を構成する第１表層基板２を備えている。更に、非導電性を有する第３シート状エラストマ３Ａと、第３シート状エラストマ３Ａの他方の端部に複数の第１エラストマ１Ｄと合同に配列されており表裏面間に導電性を有する複数の第３短冊状エラストマ３Ｂと、を有する第２表層基板３を備えている。
【０１８２】
更に、第５実施例による好適な高速伝送用接続シートは、非導電性を有する第４シート状エラストマ４Ａと、第４シート状エラストマ４Ａの両端に複数の第１短冊状エラストマ１Ｂと合同に配列されており表裏面間に導電性を有する複数の第４短冊状エラストマ４Ｂと、複数のグランド層となる第１エラストマ１Ｄと合同に配列されており表裏面間に導電性を有する複数のグランド層となる第２エラストマ４Ｄと、を構成する第４層基板４と、複数のグランド層となる第１エラストマ１Ｄと接触する幅を少なくとも有するグランド板５Ｇと、を備えている。
【０１８３】
第５実施例による好適な高速伝送用接続シートは、グランド板５Ｇ、第１高速伝送路基板１、第４層基板４、グランド板５の順番に積層されてオフセットストリップライン構造が構成され、当該オフセットストリップライン構造の両面に第１表層基板２及び第２表層基板３が更に積層されて多層基板を構成している。
【０１８４】
このような第５実施例による高速伝送用接続シートは、第１表層基板２の一方の端部に形成された複数の第２短冊状エラストマ２Ｂに一方の外部接続端子が圧接され、第２表層基板３の他方の端部に形成された複数の第３短冊状エラストマ３Ｂに他方の外部接続端子が圧接され、これら外部接続端子と複数の第１高速伝送路１Ｃとが接続される。
【０１８５】
更に、当該多層基板が面圧されることにより複数の第１高速伝送路１Ｃ間に３次元の電磁遮蔽壁が形成される。このような第５実施例による高速伝送用接続シートは、単層のオフセットストリップライン構造を有し、伝送信号間のクロストークを厳密に防止できる好適な高速伝送用接続シートである。
【０１８６】
第６実施例による好適な高速伝送用接続シートは、第５実施例による高速伝送用接続シートにおいて、図１に示されたグランド板５Ｇ、第１高速伝送路基板１、第４層基板４、グランド板５Ｇの順番に積層されてオフセットストリップライン構造が構成され、当該オフセットストリップライン構造の両面に第１表層基板２及び第２表層基板３が更に積層されて多層基板を構成している。
【０１８７】
そして、第６実施例による高速伝送用接続シートは、グランド板５Ｇと第１高速伝送路基板１における複数のグランド層となる第１エラストマ１Ｄ間、複数のグランド層となる第１エラストマ１Ｄと第４層基板４における複数のグランド層となる第２エラストマ４Ｄ間と、複数のグランド層となる第２エラストマ４Ｄとグランド板５Ｇ間と、がそれぞれ導電性接着剤で接合されることにより複数の第１高速伝送路１Ｃ間に３次元構成の電磁遮蔽壁が形成される。
【０１８８】
第７実施例による高速伝送用接続シートは、図１から図４を参照して説明された高速伝送用接続シートであってよい。そして、第７実施例による高速伝送用接続シートは、第２表層基板３、グランド板５Ｇ、第２高速伝送路基板５、第６層基板６、グランド板５Ｇ、第１高速伝送路基板１、第４層基板４、グランド板５Ｇ、第１表層基板２の順番に積層されて２層のオフセットストリップライン構造を有する多層基板を構成しており、当該多層基板における第１表層基板２の両端に形成された複数の第２短冊状エラストマ２Ｂに外部接続端子が圧接されて当該外部接続端子と複数の第１高速伝送路１Ｃ及び前記複数の第２高速伝送路５Ｃとが接続されることを特徴としている。
【０１８９】
第８実施例による高速伝送用接続シートは、第７実施例による高速伝送用接続シートにおいて、図１に示された第２表層基板３、前記グランド板５Ｇ、第２高速伝送路基板５、第６層基板６、グランド板５Ｇ、第１高速伝送路基板１、第４層基板４、グランド板５Ｇ、第１表層基板２の順番に積層されて２層のオフセットストリップライン構造を有する多層基板を構成しておいる。
【０１９０】
そして、第８実施例による高速伝送用接続シートは、当該多層基板における第１表層基板２の一方の端部に形成された複数の第２短冊状エラストマ２Ｂに一方の外部接続端子が圧接され、当該多層基板における第２表層基板３の他方の端部に形成された複数の第３短冊状エラストマ３Ｂに他方の外部接続端子が圧接され、これら外部接続端子と複数の第１高速伝送路１Ｃ及び複数の第２高速伝送路５Ｃとが接続される。
【０１９１】
更に、第９実施例による高速伝送用接続シートは、第７実施例による高速伝送用接続シートにおいて、図１に示されたグランド板５Ｇと第２高速伝送路基板５における複数のグランド層となる第３エラストマ５Ｄ間、複数のグランド層となる第３エラストマ５Ｄと第６層基板６における複数のグランド層となる第４エラストマ６Ｄ間と、複数のグランド層となる第４エラストマ６Ｄとグランド板５Ｇ間と、がそれぞれ導電性接着剤で接合されることにより複数の第２高速伝送路５Ｃ間に３次元構成の電磁遮蔽壁が形成される。
【０１９２】
次に、本発明による高速伝送用接続シートの第２実施形態を図５により説明する。図５は、第２実施形態である高速伝送用接続シートの部分構成を示す斜視分解組立図である。図５において、符号７は第３高速伝送路基板、符号８は第４高速伝送路基板である。
【０１９３】
図５の第２実施形態において、第３高速伝送路基板７は一定の誘電率を有するエラストマでシート状に形成されている。そして、第３高速伝送路基板７の基材となる第７シート状エラストマ７Ａの両端には、表裏面間に導電性を有する複数の第７短冊状エラストマ７Ｂが対向するように配列されている。導電性を有する第７短冊状エラストマ７Ｂはシリコーンゴムに導電性の粒子が混入されている。この第３高速伝送路基板７の両端部においては、第７シート状エラストマ７Ａと第７短冊状エラストマ７Ｂが交互に配列されて異方導電シートを形成している。
【０１９４】
そして、複数の第３高速伝送路７Ｃは、第７シート状エラストマ７Ａの表面にパターン形成されており、当該複数の第３高速伝送路７Ｃは、複数の第７短冊状エラストマ７Ｂの両端間を任意に接続している。図５の実施形態において、複数の第３高速伝送路７Ｃは、対をなす差動信号線路で形成されている。複数の第３高速伝送路７Ｃと対向する第７シート状エラストマ７Ａの裏面には、後述するグランド板７Ｇが積層されて、第３高速伝送路基板７はストリップライン構造を有している。
【０１９５】
又、第３高速伝送路基板７は、表裏面間に導電性を有する複数のグランド層となる第５エラストマ７Ｄが、第３高速伝送路７Ｃを挟むように第３高速伝送路７Ｃと平行に配列されている。導電性を有する第５エラストマ７Ｄはシリコーンゴムに導電性の粒子が混入されている。
【０１９６】
この第３高速伝送路基板７においては、一定の誘電率を有する第７シート状エラストマ７Ａと、導電性を有するグランド層となる第５エラストマ７Ｄとが交互に配列されて、異方導電シートを形成する。第７シート状エラストマ７Ａと第５エラストマ７Ｄとは、第７短冊状エラストマ７Ｂの両端間を結ぶ方向において、切れ目無く交互に配列されている。
【０１９７】
同様に、図５の第２実施形態において、第４高速伝送路基板８は一定の誘電率を有するエラストマでシート状に形成されている。そして、第４高速伝送路基板８の基材となる第８シート状エラストマ８Ａの両端には、表裏面間に導電性を有する複数の第８短冊状エラストマ８Ｂが対向するように配列されている。導電性を有する第８短冊状エラストマ８Ｂはシリコーンゴムに導電性の粒子が混入されている。この第４高速伝送路基板８の両端部においては、第８シート状エラストマ８Ａと第８短冊状エラストマ８Ｂが交互に配列されて異方導電シートを形成している。
【０１９８】
そして、複数の第４高速伝送路８Ｃは、第８シート状エラストマ８Ａの表面にパターン形成されており、当該複数の第４高速伝送路８Ｃは、複数の第８短冊状エラストマ８Ｂの両端間を任意に接続している。図５の実施形態において、複数の第４高速伝送路８Ｃは、対をなす差動信号線路で形成されている。複数の第４高速伝送路８Ｃと対向する第８シート状エラストマ８Ａの裏面には、後述するグランド板７Ｇが積層されて、第４高速伝送路基板８はストリップライン構造を有している。
【０１９９】
又、第４高速伝送路基板８は、表裏面間に導電性を有する複数のグランド層となる第６エラストマ８Ｄが、第４高速伝送路８Ｃを挟むように第４高速伝送路８Ｃと平行に配列されている。導電性を有する第６エラストマ８Ｄはシリコーンゴムに導電性の粒子が混入されている。
【０２００】
この第４高速伝送路基板８においては、一定の誘電率を有する第８シート状エラストマ８Ａと、導電性を有するグランド層となる第６エラストマ８Ｄとが交互に配列されて、異方導電シートを形成する。第８シート状エラストマ８Ａと第６エラストマ８Ｄとは、第８短冊状エラストマ８Ｂの両端間を結ぶ方向において、切れ目無く交互に配列されている。
【０２０１】
次に、第３高速伝送路基板７と第４高速伝送路基板８を含む全体構成を図６により説明する。図６は、本発明の第２実施形態である高速伝送用接続シートの構成を示す斜視分解組立図である。図６において、符号９はトップシート、符号１０は第１中間層基板、符号１１は第２中間層基板、符号１２は第３中間層基板である。又、符号１３はボトムシート、符号７Ｇはグランド板である。
【０２０２】
図６の第２実施形態において、トップシート９は非導電性を有するエラストマでシート状に形成されている。そして、トップシート９の基材となる第９シート状エラストマ９Ａの両端には、表裏面間に導電性を有する複数の第９短冊状エラストマ９Ｂが対向するように配列されている。導電性を有する複数の第９短冊状エラストマ９Ｂは、複数の第７短冊状エラストマ７Ｂと合同に配列されている。導電性を有する第９短冊状エラストマ９Ｂは、比較的可撓性を有するエラストマに導電性の粒子が混入されている。このトップシート９の両端部においては、非導電性を有する第９シート状エラストマ９Ａと、導電性を有する第９短冊状エラストマ９Ｂが交互に配列されて異方導電シートを形成する。
【０２０３】
図６の第２実施形態において、第１中間層基板１０は非導電性を有するエラストマでシート状に形成されている。そして、第１中間層基板１０の基材となる第１０シート状エラストマ１０Ａの両端には、表裏面間に導電性を有する複数の第１０短冊状エラストマ１０Ｂが対向するように配列されている。導電性を有する第１０短冊状エラストマ１０Ｂはシリコーンゴムに導電性の粒子が混入されている。この第１中間層基板１０の両端部においては、第１０シート状エラストマ１０Ａと第１０短冊状エラストマ１０Ｂが交互に配列されて異方導電シートを形成している。
【０２０４】
又、複数の第１０短冊状エラストマ１０Ｂは、複数の第７短冊状エラストマ７Ｂと合同に配列されている。更に、第１中間層基板１０は、表裏面間に導電性を有する複数のグランド層となる第７エラストマ１０Ｄが、複数のグランド層となる第５エラストマ７Ｄと合同に配列されている。導電性を有する第７エラストマ１０Ｄはシリコーンゴムに導電性の粒子が混入されている。
【０２０５】
この第１中間層基板１０においては、非導電性を有する第１０シート状エラストマ１０Ａと、導電性を有するグランド層となる第７エラストマ１０Ｄとが交互に配列されて、異方導電シートを形成する。第１０シート状エラストマ１０Ａと第７エラストマ１０Ｄとは、第１０短冊状エラストマ１０Ｂの両端間を結ぶ方向において、切れ目無く交互に配列されている。
【０２０６】
図６の第２実施形態において、第２中間層基板１１は非導電性を有するエラストマでシート状に形成されている。そして、第２中間層基板１１の基材となる第１１シート状エラストマ１１Ａの両端には、表裏面間に導電性を有する複数の第１１短冊状エラストマ１１Ｂが対向するように配列されている。導電性を有する第１１短冊状エラストマ１１Ｂはシリコーンゴムに導電性の粒子が混入されている。この第１中間層基板１０の両端部においては、第１０シート状エラストマ１０Ａと第１０短冊状エラストマ１０Ｂが交互に配列されて異方導電シートを形成している。
【０２０７】
なお、図６の第２実施形態において、第３高速伝送路基板７における第３高速伝送路７Ｃの接続端となる第７短冊状エラストマ７Ｂの下方位置となる個所には、第２中間層基板１１は第１０短冊状エラストマ１０Ｂを配列しておらず、第２中間層基板１１の基材となる第１１シート状エラストマ１１Ａで塞がれている。
【０２０８】
又、複数の第１１短冊状エラストマ１１Ｂは、複数の第８短冊状エラストマ８Ｂと合同に配列されている。更に、第２中間層基板１１は、表裏面間に導電性を有する複数のグランド層となる第８エラストマ１１Ｄが、複数のグランド層となる第６エラストマ８Ｄと合同に配列されている。導電性を有する第８エラストマ１１Ｄはシリコーンゴムに導電性の粒子が混入されている。
【０２０９】
図６の第２実施形態において、第３中間層基板１２は非導電性を有するエラストマでシート状に形成されている。そして、第３中間層基板１２の基材となる第１２シート状エラストマ１２Ａの両端には、表裏面間に導電性を有する複数の第１２短冊状エラストマ１２Ｂが対向するように配列されている。導電性を有する第１２短冊状エラストマ１２Ｂはシリコーンゴムに導電性の粒子が混入されている。この第３中間層基板１２の両端部においては、第１２シート状エラストマ１２Ａと第１２短冊状エラストマ１２Ｂが交互に配列されて異方導電シートを形成している。そして、第１２短冊状エラストマ１２Ｂは、第８短冊状エラストマ８Ｂと合同に配列されている。
【０２１０】
更に、図６の第２実施形態において、ボトムシート１３は非導電性を有する第１３シート状エラストマ１３Ａで構成されている。又、銅箔板となるグランド板７Ｇは、複数のグランド層となる第５エラストマ７Ｄ及び複数のグランド層となる第６エラストマ８Ｄと接触する幅を少なくとも有している。
【０２１１】
このように構成される第２実施形態の高速伝送用接続シート２００は、図６に示されるように、ボトムシート１３、グランド板７Ｇ、第４高速伝送路基板８、第２中間層基板１１、グランド板７Ｇ、第３中間層基板１２、グランド板７Ｇ、第４高速伝送路基板８、第１中間層基板１０、グランド板７Ｇ、トップシート９の順番に積層されて２層のオフセットストリップライン構造を有する多層基板を構成している。
【０２１２】
そして、当該多層基板で構成される高速伝送用接続シート２００は、図５に最もよく示されているように、複数の第３高速伝送路７Ｃと複数の第４高速伝送路８Ｃとは立体交差されている。
【０２１３】
この高速伝送用接続シート２００は、グランド板７Ｇと第６エラストマ８Ｄ間と、第６エラストマと第８エラストマ１１Ｄ間と、第８エラストマ１１Ｄとグランド板７Ｇ間とが、それぞれ導電性接着剤で接合されて、第４高速伝送路８Ｃが３次元で電磁遮蔽されてよい。又、グランド板７Ｇと第５エラストマ７Ｄ間と、第５エラストマ７Ｄと第７エラストマ１０Ｄ間と、第７エラストマ１０Ｄとグランド板７Ｇとが、それぞれ導電性接着剤で接合されて、第３高速伝送路７Ｃが３次元で電磁遮蔽されてよい。
【０２１４】
又、図６に示されるように、この高速伝送用接続シート２００の両端部上方に外部接続端子となるプラグピン１１Ｐ及び１２Ｐを配置し、トップシート９の両端に形成された複数の第９短冊状エラストマ９Ｂに、これら外部接続端子となるプラグピン１１Ｐ及び１２Ｐを圧接すれば、当該外部接続端子となるプラグピン１１Ｐ及び１２Ｐに複数の第３高速伝送路７Ｃ及び複数の第４高速伝送路８Ｃが接続される。
【０２１５】
このような、交差する高速伝送路を多層板で立体接続する高速伝送用接続シートは、エッジコネクタとなる導電性を有する複数の短冊状エラストマに外部接続端子が密着するように面接されるので、外部接続端子とエッジコネクタ間に空気層が無くなり、外部接続端子の接続端での高速信号の反射が起こりにくくなる。
【０２１６】
このような層間接続構造を有する高速伝送用接続シートにおいては、ビアを設けることなく押圧するのみで表層パターンと高速伝送路を接続できる。更に、高速伝送路の下面に非導電のエラストマシートを積層すれば、従来のように板厚方向に貫通ビアを設けることがないので、板厚方向に信号の反射が起こりにくいという利点がある。そして、ビアに換わるエッジコネクタとなる導電性の短冊状エラストマは、垂直方向（板厚方向）にストリップラインの等価性が保障されるという利点もある。
【０２１７】
更に、このような高速伝送用接続シートにおいては、導電性を有するエラストマとグランド板で高速伝送路を囲むように３次元で電磁遮蔽しているので、高速伝送路間のクロストークをより確かに防止できる。
【０２１８】
次に、図３に最もよく示された第１高速伝送路基板１の製造方法を以下、図面を参照して説明する。
【０２１９】
図７において、箱形の直方体の形枠１５Ａが用意される。形枠１５Ａの対向する内壁には櫛の歯状に板状の突起が形成されている。そして、生ゴムに例えばテフロン（登録商標）粒子などの誘電体微粒子を混練し、更に少量の硫黄と助材を加えた配合ゴムをこの形枠１５Ａに入れて成形する。更に、加熱することにより加硫して一定の誘電率を有する誘電体ブロック１５を得る。相反する側壁に櫛の歯状の溝が形成された誘電体ブロック１５は、形枠１５Ａから取り外される。
【０２２０】
次に、図８に示されるように、誘電体ブロック１５における底面と櫛の歯状の溝が形成されている側壁とを型枠で包囲し、櫛の歯状の溝内に銀などの導電材を混練した未加硫の導電性ゴムを注入する。未加硫の導電性ゴムと加硫済の誘電体ブロック１５を加熱することにより接着する。
【０２２１】
次に、図８に示されるように、誘電体ブロック１５と導電性ブロック１６が接合された異方導電ブロックをＡ−Ａ切断線より切断することにより、図８に示される異方導電ブロック１７を得る。
【０２２２】
切断は、超鋼カッター、セラミックカッター、等の刃による切断や、ファインカッターのような砥石を使った切断、ソーのようなのこぎりによる切断や、その他の切削機器や切断器具（レーザー切断機のような非接触型の切断装置を含んでもよい）により切断できる。
【０２２３】
次に、図９において、複数の異方導電ブロック１７と、図７に示された誘電体ブロック１５と同じ組成となる複数の誘電体エラストマシート１８と、複数の導電性エラストマシート１９が用意されている。
【０２２４】
そして、図９に示されるように、誘電体エラストマシート１８に導電性エラストマシート１９が積み上げられ、更に、異方導電ブロック１７が積み上げられ、積層体を作りあげている。これら異方導電ブロック１７と誘電体エラストマシート１８と導電性エラストマシート１９は横幅と奥行き幅を同一とし、これら部材間にはカップリング剤が施されており、これら部材は結合され、次に説明する積層体２０を製作する。
【０２２５】
図１０は、上述の積層工程により作成された積層体２０を切断する工程を示している。積層体２０は、得られる異方導電シート２１における板厚が所望の板厚ｔとなるように切断される。そして、異方導電シート２１を製作する。このように製作された異方導電シート２１の片面に銅箔が積層・配置された後に、プリントエッチング法により高速伝送路がパターン形成される。
【０２２６】
図１１は、以上の工程で製作された第１高速伝送路基板１の斜視外観図である。図１１において、第１高速伝送路１Ｃは対をなす差動信号線であり、各差動信号の幅Ｗと幅Ｗの間隙Ｓは図７に示された工程で予め設定される。なお、各差動信号の幅Ｗは、エッチング工程において第１短冊状エラストマ１Ｂの幅より狭いパターン幅とすることもできる。
【０２２７】
又、図１１において、外部接続端子に接続されるエッジコネクタとなる第１短冊状エラストマ１ＢのピッチＰＹは、図９に示された異方導電ブロック１７と誘電体エラストマシート１８と導電性エラストマシート１９の各板厚を適宜設定することにより、所望のピッチＰＹを得ることができる。
【図面の簡単な説明】
【０２２８】
【図１】本発明の第１実施形態である高速伝送用接続シートの構成を示す斜視分解組立図である。
【図２】本発明による第１実施形態である高速伝送用接続シートの斜視外観図である。
【図３】図１における第１高速伝送路基板と第２高速伝送路基板を抽出した斜視分解組立図である。
【図４】図２に示された高速伝送用接続シートの縦断面図である。
【図５】本発明による第２実施形態である高速伝送用接続シートの部分構成を示す斜視分解組立図である。
【図６】本発明の第２実施形態である高速伝送用接続シートの構成を示す斜視分解組立図である。
【図７】本発明の第１実施形態である第１高速伝送路基板を製造する方法に関し、成形された誘電体ブロックの斜視外観図である。
【図８】本発明の第１実施形態である第１高速伝送路基板を製造する方法に関し、誘電体ブロックと導電性ブロックが接合された異方導電ブロックの切断工程図である。
【図９】本発明の第１実施形態である第１高速伝送路基板を製造する方法に関し、誘電体エラストマシートに導電性エラストマシート１９が積み上げられ、更に、異方導電ブロックが積み上げられ、積層体を作りあげている図である。
【図１０】本発明の第１実施形態である第１高速伝送路基板を製造する方法に関し、図９の積層工程により作成された積層体を切断する工程図である。
【図１１】本発明の第１実施形態である第１高速伝送路基板を製造する方法に関し、図１０の切断工程により作成された異方導電シートにパターン形成された第１高速伝送路基板の斜視外観図である。
【図１２】従来技術による多層プリント基板に外部接続端子が接続している状態を示す斜視図である。
【符号の説明】
【０２２９】
１    第１高速伝送路基板
１Ａ    第１シート状エラストマ
１Ｂ    第１短冊状エラストマ
１Ｃ    第１高速伝送路
１Ｄ    第１エラストマ
２    第１表層基板
２Ａ    第２シート状エラストマ
２Ｂ    第２短冊状エラストマ
３    第２表層基板
３Ａ    第３シート状エラストマ
３Ｂ    第３短冊状エラストマ
４    第４層基板
４Ａ    第４シート状エラストマ
４Ｂ    第４短冊状エラストマ
４Ｄ    第２エラストマ
５    第２高速伝送路基板
５Ａ    第５シート状エラストマ
５Ｂ    第５短冊状エラストマ
５Ｃ    第２高速伝送路
５Ｄ    第３エラストマ
５Ｇ・７Ｇ    グランド板
６    第６層基板
６Ａ    シート状エラストマ
６Ｂ    第６短冊状エラストマ
６Ｄ    第４エラストマ
７    第３高速伝送路基板
７Ａ    第７シート状エラストマ
７Ｂ    第７短冊状エラストマ
７Ｃ    第３高速伝送路
７Ｄ    第５エラストマ
８    第４高速伝送路基板
８Ａ    第８シート状エラストマ
８Ｂ    第８短冊状エラストマ
８Ｃ    第４高速伝送路
８Ｄ    第６エラストマ
９    トップシート
９Ａ    第９シート状エラストマ
９Ｂ    第９短冊状エラストマ
１０    第１中間層基板
１０Ｂ    第１０短冊状エラストマ
１０Ａ    第１０シート状エラストマ
１０Ｄ    第７エラストマ
１１    第２中間層基板
１１Ａ    第１１シート状エラストマ
１１Ｂ    第１１短冊状エラストマ
１１Ｄ    第８エラストマ
１１Ｐ・１２Ｐ    プラグピン
１２    第３中間層基板
１２Ａ    第１２シート状エラストマ
１２Ｂ    第１２短冊状エラストマ
１３Ａ    第１３シート状エラストマ
１３    ボトムシート
１００・２００    高速伝送用接続シート
【図１】
2005109120.tif 000003
【図２】
2005109120.tif 000004
【図３】
2005109120.tif 000005
【図４】
2005109120.tif 000006
【図５】
2005109120.tif 000007
【図６】
2005109120.tif 000008
【図７】
2005109120.tif 000009
【図８】
2005109120.tif 000010
【図９】
2005109120.tif 000011
【図１０】
2005109120.tif 000012
【図１１】
2005109120.tif 000013
【図１２】
2005109120.tif 000014